(57)【要約】【課題】本発明は、文字入力に必要な空間を最少化すると共にユーザの意図に応じて各文字を正確に入力することができる文字入力装置を提供する。【解決手段】本発明による文字入力装置は、ベース；前記ベースに備えられた入力部；前記入力部の移動を感知する第１感知部；前記第２方向入力を感知する第２感知部；及び前記入力部の移動が感知された前記第１方向指示位置に割り当てられた第１文字又は前記第２方向入力が感知された前記第２方向指示位置に割り当てられた第２文字を前記メモリ部から抽出して実行する制御部；を含み、前記入力部は、所定の入力半径内で基準位置から前記基準位置を中心に放射状に離隔配置された複数の第１方向指示位置のうちのいずれか一つに移動する第１方向入力と、前記入力部自体に放射状に離隔配置された複数の第２方向指示位置のうちのいずれか一つを選択する第２方向入力とが、それぞれ独立的に遂行可能に備えられている。【選択図】図６１
2014199675.tif 000002
【特許請求の範囲】
【請求項１】
ベース；
前記ベースの基準位置に備えられて、基準位置から前記基準位置を中心に放射状に離隔配置される複数の第１方向指示位置のうちのいずれか一つに移動する第１方向入力が遂行される移動入力部；
前記ベースで前記基準位置を中心に放射状に離隔配置される複数の第２方向指示位置上にそれぞれ備えられて、前記第２方向指示位置のうちのいずれか一つを押圧する第２方向入力が遂行される押圧入力部；
前記移動入力部の移動を感知する第１感知部；
前記押圧入力部の押圧を感知する第２感知部；および
前記移動入力部の移動が感知された前記第１方向指示位置に割り当てられた第１文字または前記押圧入力部の押圧が感知された前記第２方向指示位置に割り当てられた第２文字を前記メモリ部から抽出して実行する制御部；
を含み、
前記移動入力部および押圧入力部上には押圧入力部に対する移動または傾斜によって前記移動入力部が同時に移動して第１方向入力が遂行されるようにする膜形態の連動入力部が備えられることを特徴とする、文字入力装置。
【請求項２】
支持部；
前記支持部に設けられる感知部；
所定の入力半径内で基準位置から前記基準位置を中心に放射状に離隔配置された複数の第１方向指示位置のうちのいずれか一つに向かって傾くことによって第２方向入力を遂行する傾斜部；
前記傾斜部の上端に設けられ、自体に放射状に離隔配置される複数の第２方向指示位置のうちのいずれか一つの押圧によって第１方向入力を遂行する押圧部；および
前記第１方向指示位置に割り当てられた第１文字または前記第２方向指示位置に割り当てられた第２文字をメモリ部から抽出して実行する制御部を含む、文字入力装置。
【請求項３】
前記支持部と前記傾斜部との間に設けられる弾性部材をさらに含むことを特徴とする、請求項２に記載の文字入力装置。
【請求項４】
前記傾斜部の内側に設けられている、前記感知部に対応する接触突起をさらに含むことを特徴とする、請求項２または３に記載の文字入力装置。
【請求項５】
前記接触突起と前記感知部は前記第２方向指示位置上にそれぞれ設けられていることを特徴とする、請求項４に記載の文字入力装置。
【発明の詳細な説明】
【技術分野】
【０００１】
本発明は、文字入力装置に関し、特に第１方向入力および第２方向入力が一つの入力部で同時にあるいは順次に遂行されることによって、最小限の入力空間で１動作で入力可能な文字の個数を極大化することができると同時に、１動作で１音素以上を迅速且つ正確に入力することができる文字入力装置に関する。
【背景技術】
【０００２】
近来、ソフトウェアと半導体技術および情報処理技術の発達に伴って情報機器が漸次に小型化する傾向にあり、これに比例して各種の情報機器における文字入力もその重要度が益々向上している。
【０００３】
ところで、このような情報機器では各種の文字や命令語の入力に多くの問題点がある。
例えば、ＰＣ（Ｐｅｒｓｏｎａｌ  Ｃｏｍｐｕｔｅｒ）またはノートパソコン（Ｎｏｔｅ  Ｂｏｏｋ）に使用されるキーボードのような入力装置はサイズを小さくするに限界があってこれら情報機器を小型化するに困難があり、ＰＤＡ（Ｐｅｒｓｏｎａｌ  Ｄａｔａ  Ａｓｓｉｓｔａｎｔ）で使用するタッチスクリーン方式や携帯電話機で使用するキーパッド方式では入力速度が遅く、誤入力される場合が多いため、不便な点がある。
【０００４】
前記のＰＣ、ノートパソコン、ＰＤＡまたは携帯電話機などの情報機器において、より速い速度で文字、数字または記号などを入力するためには、一回の入力動作で１個の音素（文字）が入力される、いわゆる１打１音素入力が遂行される必要がある。
【０００５】
このような１打１音素入力がハングルを対象とする場合には、２４個以上の文字を入力するためのボタンや入力キーが情報機器に配列される必要がある。
【０００６】
入力の対象となる言語が英語や日本語またはその他外国語である場合には、ハングルの場合よりも多くのボタンや入力キーを増設する必要がある。
【０００７】
しかし、各種の情報機器で使用する従来の入力装置は、それぞれの入力キーに文字を割り当て、指で打ったり押して入力する方式である。
【０００８】
したがって、入力キーを配列する空間が相対的に狭い携帯電話機のような個人携帯用情報端末器には、指サイズの入力キーを２４個以上配列することが難しい実情である。これが現在までキーボードの小型化が困難な理由であった。
【０００９】
特に、携帯電話機の場合には、普通１２個のボタンで２４字以上のハングル文字を全て入力しており、１個のボタンに複数の文字を重複して配列することが不可避であった。
【００１０】
したがって、一つの文字（音素）を入力するために、二回、三回反復して入力する反復入力現象がよく発生するため、その分、入力時間が長くなり、誤打が多く発生するという問題点があった。
【００１１】
また、入力方法自体が極めて複雑となり、慣れるまで長い時間がかかるなどの問題点があった。
【００１２】
このような問題点を解消するために、ハングル文字入力の場合、「天地人」のように所定の文字を組み合わせて入力する文字入力方式が提案されたことがある。
【００１３】
しかし、前記の方法の場合、基本となる文字を組み合わせて所望の文字を生成するため、文字を割り当てるための入力ボタンの個数を減少することができるという長所はあるが、所望の文字が組み合わせるまで入力ボタンを反復して押さなければならないため、その分、入力時間が長くなるという問題点があった。
【００１４】
また、丸めて携帯可能なキーボードや、キーボードのイメージを床に映写し、その上で指でキーボードを入力するような動作をすれば指の位置を感知して入力が行なわれる仮想レーザーキーボードなどの技術も提案されたことがある。
【００１５】
しかし、このような種類の入力装置は常時携帯しなければならないという不便さがあり、床に置かれた状態でのみ入力が可能であるため、移動中に手に持って入力する必要がある個人携帯用情報端末器には適用することが不適であるという問題点があった。
【発明の概要】
【発明が解決しようとする課題】
【００１６】
したがって、本発明の目的は、第１方向入力および第２方向入力が、それぞれ、または組み合わせて遂行される新たな入力部を備えることによって、文字などの入力のために必要な空間を最少化すると共に、所望の全ての文字を１回の入力動作で迅速且つ正確に入力することができる文字入力装置を提供することにある。
【００１７】
また、第１方向入力および第２方向入力に加えて、多様な入力方式を追加したりこれらを組み合せることによって、１回の入力動作で１以上の音素を入力することができる文字入力装置を提供することにある。
【課題を解決するための手段】
【００１８】
前記目的を達成するための本発明による文字入力装置は、ベース；前記ベースに備えられた入力部；前記入力部の移動を感知する第１感知部；前記第２方向入力を感知する第２感知部；および前記入力部の移動が感知された前記第１方向指示位置に割り当てられた第１文字または前記第２方向入力が感知された前記第２方向指示位置に割り当てられた第２文字を前記メモリ部から抽出して実行する制御部；を含み、前記入力部は、所定の入力半径内で基準位置から前記基準位置を中心に放射状に離隔配置された複数の第１方向指示位置のうちのいずれか一つに移動する第１方向入力と、前記入力部自体に放射状に離隔配置された複数の第２方向指示位置のうちのいずれか一つを選択する第２方向入力とが、それぞれ独立的に遂行可能に備えられる。
【００１９】
前記入力部は、中央入力が遂行可能に備えられる 。
【００２０】
前記中央入力は、前記入力部の中央に備えられた中央入力キーと、前記中央入力キーの選択を感知する第３感知部とによって遂行される。
【００２１】
前記中央入力は、前記入力部全体が前記ベースに対して上下に移動することと、前記入力部の上下移動を感知する第３感知部とによって遂行されることができる。
【００２２】
前記中央入力は、２段以上の多段入力が遂行可能に備えられる。
【００２３】
前記第２方向入力は、前記入力部が前記複数の第２方向指示位置のうちのいずれか一つに向かって傾斜して入力される。
【００２４】
あるいは、前記第２方向入力は、前記入力部に前記各第２方向指示位置に対応して備えられた押圧部のうちのいずれか一つを選択して入力される。
【００２５】
前記第１方向入力は、前記入力部が基準位置から前記各第１方向指示位置に向かってスライド移動して遂行されることができる。
【００２６】
あるいは、前記第１方向入力は、前記入力部が前記第１方向指示位置のうちのいずれか一つに向かって傾斜移動して遂行されることができる。
【００２７】
前記第２方向入力は、前記入力部の傾斜程度、前記押圧部の押圧強度、および押圧距離の差のうちのいずれか一つの方法で２段以上の多段入力が可能に備えられることができる。
【００２８】
この時、前記第１方向入力は、前記入力部の移動距離の差または移動加圧の強度に応じて２段以上の多段入力が可能に備えられることができる。
【００２９】
また、前記第１方向入力は、前記入力部の移動距離の差、傾斜移動の程度または移動加圧の強度に応じて２段以上の多段入力が可能に備えられることができる。
【００３０】
そして、前記中央入力が前記第１方向入力および第２方向入力のうちのいずれか一つと同時に遂行される中央組み合わせ入力によって、前記各方向指示位置に本来割り当てられた文字とは異なる新たなデータが入力される。
【００３１】
一方、前記第１方向指示位置および第２方向指示位置のうちのいずれか一つにのみ母音文字が割り当てられることができる。
【００３２】
前記第１方向入力および第２方向入力のうちの一つ以上は、前記入力部が前記入力半径内で前記基準位置を中心に円周方向にも移動して遂行される。
【００３３】
そして、本発明による文字入力装置は、前記ベースに備えられて、前記入力部の移動をガイドするガイド部をさらに含む。
【００３４】
前記ガイド部は、前記入力部が前記基準位置から前記各第１方向指示位置に向かって半径方向に移動することをガイドする複数の直線ガイドを含む。
【００３５】
前記ベースには前記入力半径に対応する円板形状の溝が形成されて、前記入力部の放射方向への移動距離を制限すると同時に、前記入力部の円周方向への移動をガイドする。
【００３６】
また、本発明による文字入力装置は、前記第１方向入力、第２方向入力および前記中央入力のうちの一つ以上が遂行される時にクリック感を与えるクリック手段をさらに含む。
【００３７】
前記ガイド部は、弾性材質に備えられることが好ましい。
【００３８】
また、本発明による文字入力装置は、前記入力部およびベースの間には、それぞれ互いに異なる弾性係数を有し、前記多段入力に対応する個数に備えられ、前記入力部から各第１方向指示位置に向かって弾性係数が漸次に増加するように順次に配置されて、前記多段の第１方向入力が弾性係数の差に応じて各段階別に区分して入力可能にする複数の弾性部材をさらに含む。
【００３９】
前記第１方向指示位置および第２方向指示位置は、それぞれ４個乃至１２個の入力方向のうちのいずれか一つに備えられる。
【００４０】
この時、前記第１方向指示位置および第２方向指示位置は、互いに異なる個数に備えられることができる。
【００４１】
また、本発明による文字入力装置は、前記入力部を前記ベースから所定の高さに離隔支持する支持部をさらに含み、前記第１方向入力時には、２以上の指で前記入力部を握って前記入力部を前記各第１方向指示位置に傾斜して入力し、前記第２方向入力時には、前記入力部を前記支持部に対して前記各第２方向指示位置に向かって傾斜して入力することを特徴とする。
【００４２】
前記入力部は、前記ベースの内外部に突出および受容が可能に備えられることができる。
【００４３】
そして、本発明による文字入力装置には、前記入力部の側面外周面に沿って複数の側面押圧部がさらに備えられる。
【００４４】
前記入力部は、弾性材質に備えられることが好ましい。
【００４５】
そして、前記入力部の上部面にはすべり防止部が備えられることが好ましい。
【００４６】
また、本発明による文字入力装置では、前記基準位置に備えられて、前記入力部が前記基準位置に位置していることを感知する基準位置感知部をさらに含む。
【００４７】
前記中央入力によって入力モードの転換または各種の機能命令が遂行されることができる。
【００４８】
そして、前記ベースの一側には、入力モードの転換のためのモード転換キー、および、エンター、取り消し、カーソルなどの機能命令を入力するためのファンクションキーのうちの一つ以上がさらに備えられることができる。
【００４９】
また、本発明による文字入力装置は、前記制御部によって抽出された入力命令が表示されるディスプレー部をさらに含む。
【００５０】
この時、前記ディスプレー部は、前記ベースに着脱可能に備えられることができる。
【００５１】
そして、前記ディスプレー部には、ユーザの入力動作による入力内容、または選択した入力モードにおける割り当てられた文字が表示されるキーボード表示部が備えられる。
【００５２】
前記入力部は、前記ベース上で前記基準位置を中心に左右方向に自体回転可能に備えられる。
【００５３】
また、前記入力部は、前記ベースに２個以上が備えられることができる。
【００５４】
この時、前記２個の入力部のうちのいずれか一つにのみ母音文字が割り当てられることができる。
【００５５】
前記各第２方向指示位置に対応する前記各入力部の上段または前記各押圧部、および前記中央入力キーのうちの一つ以上には、指の接近または接触を感知するタッチ感知部が備えられて、前記各第２方向入力および中央入力に加えてタッチ入力が遂行可能に備えられる。
【００５６】
この時、前記中央入力キーに備えられて指の接触を感知する中央入力キー感知部をさらに含み、前記制御部は前記中央入力キー感知部で指の接触が所定の時間以上感知される場合、前記タッチ感知部の感知結果を無視して前記タッチ入力が遂行されないようにする。
【００５７】
前記入力部の中央に備えられて指の接触を感知する中央タッチ感知部をさらに含み、前記制御部は、前記中央タッチ感知部への指のタッチによる中央タッチ感知信号、および前記第２方向入力の遂行による前記第２感知部の感知信号が同時に受信される場合と、前記第２感知部の感知信号のみが受信される場合とを区別して互いに異なる文字を入力する。
【００５８】
前記入力部の上端に前記各第２方向指示位置に対応してボタン形状の突起が形成される。
【００５９】
また、本発明による文字入力装置は、外部機器と有線および無線のうちの一つ以上の方法で接続可能に備えられて、前記外部機器とデータを送受信する送受信部をさらに含む。
【００６０】
前記入力部は、前記第１方向入力または第２方向入力を遂行した後に、自動的に前記基準位置に復帰するリターン機能を有することが好ましい。
【００６１】
前記第１方向入力および第２方向入力のうちのいずれか一つは、４個の方向指示位置を有して２段入力が可能に備えられ、前記各方向指示位置には母音文字が割り当てられる。
【００６２】
そして、前記ベースおよび入力部のうちのいずれか一つには、前記各第１方向指示位置に対応して、前記各第１方向指示位置に割り当てられた第１文字が表示された第１文字表示部；および前記各第２方向指示位置に対応して、前記各第２方向指示位置に割り当てられた第２文字が表示された第２文字表示部；が備えられる。
【００６３】
この時、前記第１文字表示部および第２文字表示部は、２以上の文字が重複して割り当てられた場合、入力モードに応じて入力される文字が変更して表示される。
【００６４】
そして、マウスまたはゲームモードに転換される場合、前記２個の入力部のうちのいずれか一つによってはポインタの移動やゲームキャラクターの移動が遂行され、他の一つによってはポインタの操作またはゲームキャラクターの各種の操作命令が遂行されることが好ましい。
【００６５】
前記２個の入力部のうちのいずれか一つにのみ母音文字が割り当てられることが好ましい。
【００６６】
前記第１方向入力および第２方向入力のうちのいずれか一つが先に遂行された状態で、継続して他の一つが遂行される時、前記入力動作に割り当てられた第３文字が入力される方向組み合わせ入力が遂行可能に備えられる。
【００６７】
この時、前記方向組み合わせ入力は、組み合わせられる前記第１方向入力および第２方向入力の順序に応じてそれぞれ互いに異なる文字が入力されることができる。
【００６８】
また、本発明による文字入力装置は、前記入力部の中央に突出して、前記第１方向入力または第２方向入力の遂行時に前記入力部の操作を円滑にするための突出部をさらに含む。
【００６９】
前記入力部は、指の把持および操作が容易なように上端の周縁に一つ以上の突起部が備えられる。
【００７０】
マウス入力モードへ転換される場合、前記入力部の第１方向入力によってはポインタの移動が、前記第２方向入力によってはマウスの左右ボタンまたはスクロール機能が遂行されることができる。
【００７１】
ゲームモード時に、前記第１方向入力によってはキャラクターの移動が遂行され、前記第２方向入力によってはキャラクターの各種の操作命令が遂行されることができる。
【００７２】
そして、本発明による文字入力装置は、帯形状を有する本体と、前記本体に備えられ、前記入力部が第１方向入力および第２方向入力が遂行可能に受容される受容部と、前記本体の両端部に備えられて前記ベースにスライド可能に結合される移動支持部とを含む連結部材をさらに含む。
【００７３】
また、前記突出部に一端が挿入される操作棒をさらに含み、前記突出部には、前記操作棒が挿入される結合部が備えられる。
【００７４】
前記２個の入力部のうちのいずれか一つによっては文字を入力し、他の一つによってはマウスポインタ／ゲームキャラクターの移動、方向指示、機能命令またはモード変更を遂行することができる。
【００７５】
前記各入力部は、第２方向入力が２段以上の多段入力が可能に備えられて、前記各入力部の第２方向入力によっては文字を入力し、各入力部の第１方向入力によってはマウスポインタ／ゲームキャラクターの移動、方向指示、機能命令またはモード変更を遂行することができる。
【００７６】
一方、第１方向入力は、第１方向指示位置への移動によって遂行され、第２方向入力は、第２方向指示位置に対応する入力部を押圧することによって遂行され、前記第１方向入力によって第２方向指示位置には新たなデータが放射状に割り当てられ、前記データのうちのいずれか一つを前記第２方向入力に選択することができる。
【００７７】
あるいは、第１方向入力は、第１方向指示位置への移動によって遂行され、第２方向入力は、第２方向指示位置に対応する入力部を押圧することによって遂行され、前記第２方向入力によって第１方向指示位置には新たなデータが放射状に割り当てられ、前記データのうちのいずれか一つを前記第１方向入力に選択することができる。
【００７８】
そして、前記目的を達成するための本発明による文字入力装置は、ベース；前記ベースに備えられた２個の入力部；前記第１方向入力を感知する第１感知部；前記第２方向入力を感知する第２感知部；および前記入力部の移動が感知された前記第１方向指示位置に割り当てられた第１文字または前記第２方向入力が感知された前記第２方向指示位置に割り当てられた第２文字をメモリ部から抽出する制御部；を含み、前記各入力部は、各基準位置から前記基準位置を中心に放射状に離隔配置された４個の第１方向指示位置のうちのいずれか一つに移動する第１方向入力と、前記入力部自体に放射状に離隔配置された４個の第２方向指示位置のうちのいずれか一つを選択する第２方向入力とが、それぞれ２段以上の多段に遂行可能に備えられる。
【００７９】
前記目的を達成するための本発明による文字入力装置は、ベース；前記ベースに備えられた２個の入力部；前記第１方向入力を感知する第１感知部；前記第２方向入力を感知する第２感知部；および前記入力部の移動が感知された前記第１方向指示位置に割り当てられた第１文字または前記第２方向入力が感知された前記第２方向指示位置に割り当てられた第２文字をメモリ部から抽出する制御部；を含み、前記各入力部は、各基準位置から前記基準位置を中心に放射状に離隔配置された８個の第１方向指示位置のうちのいずれか一つに移動する第１方向入力と、前記入力部自体に放射状に離隔配置された４個の第２方向指示位置のうちのいずれか一つを選択する第２方向入力と、が遂行可能に備えられる。
【００８０】
前記目的を達成するための本発明による文字入力装置は、ベース；前記ベースに備えられた２個の入力部；前記第１方向入力を感知する第１感知部；前記第２方向入力を感知する第２感知部；および前記入力部の移動が感知された前記第１方向指示位置に割り当てられた第１文字または前記第２方向入力が感知された前記第２方向指示位置に割り当てられた第２文字をメモリ部から抽出する制御部；を含み、前記各入力部は、各基準位置から前記基準位置を中心に放射状に離隔配置された４個の第１方向指示位置のうちのいずれか一つに移動する第１方向入力と、前記入力部自体に放射状に離隔配置された８個の第２方向指示位置のうちのいずれか一つを選択する第２方向入力と、が遂行可能に備えられる。
【００８１】
この時、前記第１方向入力および第２方向入力のうちの一つ以上は２段以上の多段入力が遂行可能に備えられることができる。
【００８２】
前記目的を達成するための本発明による文字入力装置は、ベース；前記ベースに備えられた入力部；前記入力部の移動を感知する第１感知部；前記押圧部の選択を感知する第２感知部；および前記第１感知部および第２感知部の感知結果に基づいて、当該第１方向指示位置に割り当てられた第１文字または当該第２方向指示位置に割り当てられた第２文字をメモリ部から抽出して入力する制御部；を含み、前記入力部は、所定の入力半径内で基準位置から前記基準位置を中心に放射状に離隔配置された複数の第１方向指示位置のうちのいずれか一つにスライドする第１方向入力と、前記入力部自体に放射状に離隔配置される複数の第２方向指示位置に対応して前記入力部の上端に備えられた押圧部のうちのいずれか一つを選択する第２方向入力とが、それぞれ独立的に遂行可能に備えられる。
【００８３】
前記目的を達成するための本発明による文字入力装置は、ベース；前記ベースに備えられた入力部；前記入力部の移動を感知する第１感知部；前記入力部の傾斜を感知する第２感知部；および前記第１感知部および第２感知部の感知結果に基づいて、当該第１方向指示位置に割り当てられた第１文字または当該第２方向指示位置に割り当てられた第２文字をメモリ部から抽出して入力する制御部；を含み、前記入力部は、所定の入力半径内で基準位置から前記基準位置を中心に放射状に離隔配置された複数の第１方向指示位置のうちのいずれか一つにスライドする第１方向入力と、前記入力部自体に放射状に離隔配置される複数の第２方向指示位置のうちのいずれか一つに向かって傾斜する第２方向入力とが、それぞれ独立的に遂行可能に備えられる。
【００８４】
前記目的を達成するための本発明による文字入力装置は、ベース；前記ベースに備えられた入力部；前記入力部およびベースの間に備えられて、前記入力部と同時にスライドし、前記入力部の傾斜移動を支持する支持部；前記入力部の移動を感知する第１感知部；前記入力部の傾斜移動を感知する第２感知部；および前記第１感知部および第２感知部の感知結果に基づいて、当該第１方向指示位置に割り当てられた第１文字または当該第２方向指示位置に割り当てられた第２文字をメモリ部から抽出して入力する制御部；を含み、前記入力部は、所定の入力半径内で基準位置から前記基準位置を中心に放射状に離隔配置された複数の第１方向指示位置のうちのいずれか一つにスライドする第１方向入力と、前記入力部自体に放射状に離隔配置される複数の第２方向指示位置のうちのいずれか一つに向かって前記入力部全体が傾斜移動する第２方向入力とが、それぞれ独立的に遂行可能に備えられる。
【００８５】
前記目的を達成するための本発明による文字入力装置は、ベース；前記ベースに備えられた入力部；前記ベースおよび入力部の間に備えられて、前記入力部の傾斜移動を支持する支持部；前記入力部の移動を感知する第１感知部；前記入力部の傾斜を感知する第２感知部；および前記第１感知部および第２感知部の感知結果に基づいて、当該第１方向指示位置に割り当てられた第１文字または当該第２方向指示位置に割り当てられた第２文字をメモリ部から抽出して入力する制御部；を含み、前記入力部は、基準位置から前記基準位置を中心に放射状に離隔配置された複数の第１方向指示位置のうちのいずれか一つに前記入力部全体が傾斜する傾斜移動が遂行される第１方向入力と、前記入力部自体に放射状に離隔配置される複数の第２方向指示位置のうちのいずれか一つに向かって傾斜する第２方向入力とが、それぞれ独立的に遂行可能に備えられる。
【００８６】
この時、前記第１方向入力および第２方向入力のうちの一つ以上は、２段以上の多段入力が遂行可能に備えられることができる。
【００８７】
前記目的を達成するための本発明による文字入力装置は、ベース；基準位置から前記基準位置を中心に放射状に離隔配置された複数の第１方向指示位置のうちのいずれか一つに移動することによって第１方向入力が遂行される移動入力部と、自体に放射状に離隔配置される複数の第２方向指示位置のうちのいずれか一つを押圧することによって第２方向入力が遂行される押圧入力部とを含み、前記ベースに備えられる入力部；前記移動入力部の移動を感知する第１感知部；前記押圧入力部の押圧を感知する第２感知部；および前記移動入力部の移動が感知された前記第１方向指示位置に割り当てられた第１文字または前記押圧入力部の押圧が感知された第２方向指示位置に割り当てられた第２文字を前記メモリ部から抽出して実行する制御部；を含む。
【００８８】
この時、前記移動入力部は、水平移動して第１方向入力を遂行する。
【００８９】
あるいは、前記移動入力部は、傾斜移動して第１方向入力を遂行する。
【００９０】
そして、前記押圧入力部は、前記移動入力部と連動して前記移動入力部の第１方向入力の遂行時に共に移動することができる。
【００９１】
前記押圧入力部の下段には、前記移動入力部が第１方向入力をしても前記押圧入力部に対する第２方向入力によって前記押圧入力部と接触可能な位置に配置され、前記押圧入力部の接触によって前記第２感知部に接触する方向押圧入力部が備えられる。
【００９２】
あるいは、前記移動入力部の下端を支持すると共に、前記移動入力部が第１方向入力をしても前記押圧入力部に対する第２方向入力によって前記押圧入力部と接触可能な位置に配置され、前記押圧入力部の接触によって前記第２感知部に接触する方向押圧入力部が備えられる。
【００９３】
また、前記移動入力部は、スティック形態に構成され、前記第１感知部は前記移動入力部の下端に対応するように備えられて前記移動入力部の移動を感知することができる。
【発明の効果】
【００９４】
前述した構造を有する本発明による文字入力装置によれば、文字入力に必要な空間を最少化すると共に、ユーザの意図に応じて各文字を正確に入力することができる。
【００９５】
また、方向移動入力および方向押圧入力を組み合わせて１回の入力動作で１以上の音素を入力することができ、迅速な文字入力が可能である。
【００９６】
また、入力空間を最少化することができ、製品を小型化、スリム化することができるため、ＰＤＡ、ノートパソコン、携帯用移動通信端末器など各種の携帯用電子機器への適用が可能である。
［付記項１］  
ベース；
前記ベースに備えられた入力部；
前記入力部の移動を感知する第１感知部；
前記第２方向入力を感知する第２感知部；および
前記入力部の移動が感知された前記第１方向指示位置に割り当てられた第１文字または前記第２方向入力が感知された前記第２方向指示位置に割り当てられた第２文字を前記メモリ部から抽出して実行する制御部；を含み、
前記入力部は、所定の入力半径内で基準位置から前記基準位置を中心に放射状に離隔配置された複数の第１方向指示位置のうちのいずれか一つに移動する第１方向入力と、前記入力部自体に放射状に離隔配置された複数の第２方向指示位置のうちのいずれか一つを選択する第２方向入力とが、それぞれ独立的に遂行可能に備えられることを特徴とする文字入力装置。
［付記項２］  
前記入力部は、中央入力が遂行可能に備えられることを特徴とする、付記項１に記載の文字入力装置。
［付記項３］  
前記中央入力は、
前記入力部の中央に備えられた中央入力キーと、前記中央入力キーの選択を感知する第３感知部とによって遂行されることを特徴とする、付記項２に記載の文字入力装置。
［付記項４］  
前記中央入力は、
前記入力部全体が前記ベースに対して上下に移動することと、前記入力部の上下移動を感知する第３感知部とによって遂行されることを特徴とする、付記項２に記載の文字入力装置。
［付記項５］  
前記中央入力は、２段以上の多段入力が遂行可能に備えられることを特徴とする、付記項２に記載の文字入力装置。
［付記項６］  
前記第２方向入力は、前記入力部が前記複数の第２方向指示位置のうちのいずれか一つに向かって傾斜して入力されることを特徴とする、付記項１に記載の文字入力装置。
［付記項７］  
前記第２方向入力は、前記入力部に前記各第２方向指示位置に対応して備えられた押圧部のうちのいずれか一つを選択して入力されることを特徴とする、付記項１に記載の文字入力装置。
［付記項８］  
前記第１方向入力は、前記入力部が基準位置から前記各第１方向指示位置に向かってスライド移動して遂行されることを特徴とする、付記項１に記載の文字入力装置。
［付記項９］  
前記第１方向入力は、前記入力部が前記第１方向指示位置のうちのいずれか一つに向かって傾斜移動して遂行されることを特徴とする、付記項１に記載の文字入力装置。
［付記項１０］  
前記第２方向入力は、前記入力部の傾斜程度、前記押圧部の押圧強度、および押圧距離の差のうちのいずれか一つの方法で２段以上の多段入力が可能に備えられることを特徴とする、付記項１乃至付記項９のいずれか一項に記載の文字入力装置。
［付記項１１］  
前記第１方向入力は、前記入力部の移動距離の差または移動加圧の強度に応じて２段以上の多段入力が可能に備えられることを特徴とする、付記項１０に記載の文字入力装置。
［付記項１２］  
前記第１方向入力は、前記入力部の移動距離の差、傾斜移動の程度または移動加圧の強度に応じて２段以上の多段入力が可能に備えられることを特徴とする、付記項１乃至付記項９のいずれか一項に記載の文字入力装置。
［付記項１３］  
前記中央入力が前記第１方向入力および第２方向入力のうちのいずれか一つと同時に遂行される中央組み合わせ入力によって、前記各方向指示位置に本来割り当てられた文字とは異なる新たなデータが入力されることを特徴とする、付記項２に記載の文字入力装置。
［付記項１４］  
前記第１方向指示位置および第２方向指示位置のうちのいずれか一つにのみ母音文字が割り当てられることを特徴とする、付記項１に記載の文字入力装置。
［付記項１５］  
前記第１方向入力および第２方向入力のうちの一つ以上は、前記入力部が前記入力半径内で前記基準位置を中心に円周方向にも移動して遂行されることを特徴とする、付記項１に記載の文字入力装置。
［付記項１６］  
前記ベースに備えられて、前記入力部の移動をガイドするガイド部をさらに含むことを特徴とする、付記項１または付記項１５に記載の文字入力装置。
［付記項１７］  
前記ガイド部は、前記入力部が前記基準位置から前記各第１方向指示位置に向かって半径方向に移動することをガイドする複数の直線ガイドを含むことを特徴とする、付記項１６に記載の文字入力装置。
［付記項１８］  
前記ベースには前記入力半径に対応する円板形状の溝が形成されて、前記入力部の放射方向への移動距離を制限すると同時に、前記入力部の円周方向への移動をガイドすることを特徴とする、付記項１６に記載の文字入力装置。
［付記項１９］  
前記第１方向入力、第２方向入力および前記中央入力のうちの一つ以上が遂行される時にクリック感を与えるクリック手段をさらに含むことを特徴とする、付記項１または付記項２に記載の文字入力装置。
［付記項２０］  
前記ガイド部は、弾性材質に備えられることを特徴とする、付記項１６に記載の文字入力装置。
［付記項２１］  
前記入力部およびベースの間には、それぞれ互いに異なる弾性係数を有し、前記多段入力に対応する個数に備えられ、前記入力部から各第１方向指示位置に向かって弾性係数が漸次に増加するように順次に配置されて、前記多段の第１方向入力が弾性係数の差に応じて各段階別に区分して入力可能にする複数の弾性部材をさらに含むことを特徴とする、付記項１２に記載の文字入力装置。
［付記項２２］  
前記第１方向指示位置および第２方向指示位置は、それぞれ４個乃至１２個の入力方向のうちのいずれか一つに備えられることを特徴とする、付記項１に記載の文字入力装置。
［付記項２３］  
前記第１方向指示位置および第２方向指示位置は、互いに異なる個数に備えられることを特徴とする、付記項２２に記載の文字入力装置。
［付記項２４］  
前記入力部を前記ベースから所定の高さに離隔支持する支持部をさらに含み、前記第１方向入力時には、２以上の指で前記入力部を握って前記入力部を前記各第１方向指示位置に傾斜して入力し、前記第２方向入力時には、前記入力部を前記支持部に対して前記各第２方向指示位置に向かって傾斜して入力することを特徴とする、付記項６または付記項９に記載の文字入力装置。
［付記項２５］  
前記入力部は、前記ベースの内外部に突出および受容が可能に備えられることを特徴とする、付記項１に記載の文字入力装置。
［付記項２６］  
前記入力部の側面外周面に沿って複数の側面押圧部がさらに備えられることを特徴とする、付記項１に記載の文字入力装置。
［付記項２７］  
前記入力部は、弾性材質に備えられることを特徴とする、付記項１に記載の文字入力装置。
［付記項２８］  
前記入力部の上部面にはすべり防止部が備えられることを特徴とする、付記項１に記載の文字入力装置。
［付記項２９］  
前記基準位置に備えられて、前記入力部が前記基準位置に位置していることを感知する基準位置感知部をさらに含むことを特徴とする、付記項１に記載の文字入力装置。
［付記項３０］  
前記中央入力によって入力モードの転換または各種の機能命令が遂行されることを特徴とする、付記項２に記載の文字入力装置。
［付記項３１］  
前記ベースの一側には、入力モードの転換のためのモード転換キー、および、エンター、取り消し、カーソルなどの機能命令を入力するためのファンクションキーのうちの一つ以上がさらに備えられることを特徴とする、付記項１に記載の文字入力装置。
［付記項３２］  
前記制御部によって抽出された入力命令が表示されるディスプレー部をさらに含むことを特徴とする、付記項１に記載の文字入力装置。
［付記項３３］  
前記ディスプレー部は、前記ベースに着脱可能に備えられることを特徴とする、付記項３２に記載の文字入力装置。
［付記項３４］  
前記ディスプレー部には、ユーザの入力動作による入力内容、または選択した入力モードにおける割り当てられた文字が表示されるキーボード表示部が備えられることを特徴とする、付記項３２に記載の文字入力装置。
［付記項３５］  
前記入力部は、前記ベース上で前記基準位置を中心に左右方向に自体回転可能に備えられることを特徴とする、付記項１に記載の文字入力装置。
［付記項３６］  
前記入力部は、前記ベースに２個以上が備えられることを特徴とする、付記項１に記載の文字入力装置。
［付記項３７］  
前記２個の入力部のうちのいずれか一つにのみ母音文字が割り当てられることを特徴とする、付記項１に記載の文字入力装置。
［付記項３８］  
前記各第２方向指示位置に対応する前記各入力部の上段または前記各押圧部、および前記中央入力キーのうちの一つ以上には、指の接近または接触を感知するタッチ感知部が備えられて、前記各第２方向入力および中央入力に加えてタッチ入力が遂行可能に備えられることを特徴とする、付記項１乃至付記項９および付記項３６のいずれか一項に記載の文字入力装置。
［付記項３９］  
前記中央入力キーに備えられて指の接触を感知する中央入力キー感知部をさらに含み、前記制御部は前記中央入力キー感知部で指の接触が所定の時間以上感知される場合、前記タッチ感知部の感知結果を無視して前記タッチ入力が遂行されないようにすることを特徴とする、付記項３８に記載の文字入力装置。
［付記項４０］  
前記入力部の中央に備えられて指の接触を感知する中央タッチ感知部をさらに含み、
前記制御部は、前記中央タッチ感知部への指のタッチによる中央タッチ感知信号、および前記第２方向入力の遂行による前記第２感知部の感知信号が同時に受信される場合と、前記第２感知部の感知信号のみが受信される場合とを区別して互いに異なる文字を入力することを特徴とする、付記項１乃至付記項１０および付記項３６のいずれか一項に記載の文字入力装置。
［付記項４１］  
前記入力部の上端に前記各第２方向指示位置に対応してボタン形状の突起が形成されたことを特徴とする、付記項１に記載の文字入力装置。
［付記項４２］  
外部機器と有線および無線のうちの一つ以上の方法で接続可能に備えられて、前記外部機器とデータを送受信する送受信部をさらに含むことを特徴とする、付記項１に記載の文字入力装置。
［付記項４３］  
前記入力部は、前記第１方向入力または第２方向入力を遂行した後に、自動的に前記基準位置に復帰するリターン機能を有することを特徴とする、付記項１に記載の文字入力装置。
［付記項４４］  
前記第１方向入力および第２方向入力のうちのいずれか一つは、４個の方向指示位置を有して２段入力が可能に備えられ、前記各方向指示位置には母音文字が割り当てられることを特徴とする、付記項１乃至付記項９のいずれか一項に記載の文字入力装置。
［付記項４５］  
前記ベースおよび入力部のうちのいずれか一つには、
前記各第１方向指示位置に対応して、前記各第１方向指示位置に割り当てられた第１文字が表示された第１文字表示部；および
前記各第２方向指示位置に対応して、前記各第２方向指示位置に割り当てられた第２文字が表示された第２文字表示部；が備えられることを特徴とする、付記項１または付記項２に記載の文字入力装置。
［付記項４６］  
前記第１文字表示部および第２文字表示部は、２以上の文字が重複して割り当てられた場合、入力モードに応じて入力される文字が変更して表示されることを特徴とする、付記項４５に記載の文字入力装置。
［付記項４７］  
マウスまたはゲームモードに転換される場合、前記２個の入力部のうちのいずれか一つによってはポインタの移動やゲームキャラクターの移動が遂行され、他の一つによってはポインタの操作またはゲームキャラクターの各種の操作命令が遂行されることを特徴とする、付記項３６に記載の文字入力装置。
［付記項４８］  
前記２個の入力部のうちのいずれか一つにのみ母音文字が割り当てられることを特徴とする、付記項３６に記載の文字入力装置。
［付記項４９］  
前記第１方向入力および第２方向入力のうちのいずれか一つが先に遂行された状態で、継続して他の一つが遂行される時、前記入力動作に割り当てられた第３文字が入力される方向組み合わせ入力が遂行可能に備えられることを特徴とする、付記項１に記載の文字入力装置。
［付記項５０］  
前記方向組み合わせ入力は、組み合わせられる前記第１方向入力および第２方向入力の順序に応じてそれぞれ互いに異なる文字が入力されることを特徴とする、付記項４９に記載の文字入力装置。
［付記項５１］  
前記入力部の中央に突出して、前記第１方向入力または第２方向入力の遂行時に前記入力部の操作を円滑にするための突出部をさらに含むことを特徴とする、付記項１に記載の文字入力装置。
［付記項５２］  
前記入力部は、指の把持および操作が容易なように上端の周縁に一つ以上の突起部が備えられることを特徴とする、付記項１に記載の文字入力装置。
［付記項５３］  
マウス入力モードへ転換される場合、前記入力部の第１方向入力によってはポインタの移動が、前記第２方向入力によってはマウスの左右ボタンまたはスクロール機能が遂行されることを特徴とする、付記項１に記載の文字入力装置。
［付記項５４］  
ゲームモード時に、前記第１方向入力によってはキャラクターの移動が遂行され、前記第２方向入力によってはキャラクターの各種の操作命令が遂行されることを特徴とする、付記項１に記載の文字入力装置。
［付記項５５］
帯形状を有する本体と、前記本体に備えられ、前記入力部が第１方向入力および第２方向入力が遂行可能に受容される受容部と、前記本体の両端部に備えられて前記ベースにスライド可能に結合される移動支持部とを含む連結部材をさらに含むことを特徴とする、付記項１に記載の文字入力装置。
［付記項５６］  
前記突出部に一端が挿入される操作棒をさらに含み、
前記突出部には、前記操作棒が挿入される結合部が備えられることを特徴とする、付記項５１に記載の文字入力装置。
［付記項５７］  
前記２個の入力部のうちのいずれか一つによっては文字を入力し、他の一つによってはマウスポインタ／ゲームキャラクターの移動、方向指示、機能命令またはモード変更を遂行することを特徴とする、付記項３６に記載の文字入力装置。
［付記項５８］  
前記各入力部は、第２方向入力が２段以上の多段入力が可能に備えられて、前記各入力部の第２方向入力によっては文字を入力し、各入力部の第１方向入力によってはマウスポインタ／ゲームキャラクターの移動、方向指示、機能命令またはモード変更を遂行することを特徴とする、付記項３６に記載の文字入力装置。
［付記項５９］  
第１方向入力は、第１方向指示位置への移動によって遂行され、第２方向入力は、第２方向指示位置に対応する入力部を押圧することによって遂行され、
前記第１方向入力によって第２方向指示位置には新たなデータが放射状に割り当てられ、前記データのうちのいずれか一つを前記第２方向入力に選択することを特徴とする、付記項１に記載の文字入力装置。
［付記項６０］  
第１方向入力は、第１方向指示位置への移動によって遂行され、第２方向入力は、第２方向指示位置に対応する入力部を押圧することによって遂行され、
前記第２方向入力によって第１方向指示位置には新たなデータが放射状に割り当てられ、前記データのうちのいずれか一つを前記第１方向入力に選択することを特徴とする、付記項１に記載の文字入力装置。
［付記項６１］  
ベース；
前記ベースに備えられた２個の入力部；
前記第１方向入力を感知する第１感知部；
前記第２方向入力を感知する第２感知部；および
前記入力部の移動が感知された前記第１方向指示位置に割り当てられた第１文字または前記第２方向入力が感知された前記第２方向指示位置に割り当てられた第２文字をメモリ部から抽出する制御部；を含み、
前記各入力部は、各基準位置から前記基準位置を中心に放射状に離隔配置された４個の第１方向指示位置のうちのいずれか一つに移動する第１方向入力と、前記入力部自体に放射状に離隔配置された４個の第２方向指示位置のうちのいずれか一つを選択する第２方向入力とが、それぞれ２段以上の多段に遂行可能に備えられることを特徴とする、文字入力装置。
［付記項６２］  
ベース；
前記ベースに備えられた２個の入力部；
前記第１方向入力を感知する第１感知部；
前記第２方向入力を感知する第２感知部；および
前記入力部の移動が感知された前記第１方向指示位置に割り当てられた第１文字または前記第２方向入力が感知された前記第２方向指示位置に割り当てられた第２文字をメモリ部から抽出する制御部；を含み、
前記各入力部は、各基準位置から前記基準位置を中心に放射状に離隔配置された８個の第１方向指示位置のうちのいずれか一つに移動する第１方向入力と、前記入力部自体に放射状に離隔配置された４個の第２方向指示位置のうちのいずれか一つを選択する第２方向入力とが遂行可能に備えられることを特徴とする、文字入力装置。
［付記項６３］  
ベース；
前記ベースに備えられた２個の入力部；
前記第１方向入力を感知する第１感知部；
前記第２方向入力を感知する第２感知部；および
前記入力部の移動が感知された前記第１方向指示位置に割り当てられた第１文字または前記第２方向入力が感知された前記第２方向指示位置に割り当てられた第２文字をメモリ部から抽出する制御部；を含み、
前記各入力部は、各基準位置から前記基準位置を中心に放射状に離隔配置された４個の第１方向指示位置のうちのいずれか一つに移動する第１方向入力と、前記入力部自体に放射状に離隔配置された８個の第２方向指示位置のうちのいずれか一つを選択する第２方向入力とが遂行可能に備えられることを特徴とする文字入力装置。
［付記項６４］  
前記第１方向入力および第２方向入力のうちの一つ以上は２段以上の多段入力が遂行可能に備えられることを特徴とする、付記項６２または付記項６３に記載の文字入力装置。
［付記項６５］  
ベース；
前記ベースに備えられた入力部；
前記入力部の移動を感知する第１感知部；
前記押圧部の選択を感知する第２感知部；および
前記第１感知部および第２感知部の感知結果に基づいて、当該第１方向指示位置に割り当てられた第１文字または当該第２方向指示位置に割り当てられた第２文字をメモリ部から抽出して入力する制御部；を含み、
前記入力部は、所定の入力半径内で基準位置から前記基準位置を中心に放射状に離隔配置された複数の第１方向指示位置のうちのいずれか一つにスライドする第１方向入力と、前記入力部自体に放射状に離隔配置される複数の第２方向指示位置に対応して前記入力部の上端に備えられた押圧部のうちのいずれか一つを選択する第２方向入力とが、それぞれ独立的に遂行可能に備えられることを特徴とする、文字入力装置。
［付記項６６］  
ベース；
前記ベースに備えられた入力部；
前記入力部の移動を感知する第１感知部；
前記入力部の傾斜を感知する第２感知部；および
前記第１感知部および第２感知部の感知結果に基づいて、当該第１方向指示位置に割り当てられた第１文字または当該第２方向指示位置に割り当てられた第２文字をメモリ部から抽出して入力する制御部；を含み、
前記入力部は、所定の入力半径内で基準位置から前記基準位置を中心に放射状に離隔配置された複数の第１方向指示位置のうちのいずれか一つにスライドする第１方向入力と、前記入力部自体に放射状に離隔配置される複数の第２方向指示位置のうちのいずれか一つに向かって傾斜する第２方向入力とが、それぞれ独立的に遂行可能に備えられることを特徴とする、文字入力装置。
［付記項６７］  
ベース；
前記ベースに備えられた入力部；
前記入力部およびベースの間に備えられて、前記入力部と同時にスライドし、前記入力部の傾斜移動を支持する支持部；
前記入力部の移動を感知する第１感知部；
前記入力部の傾斜移動を感知する第２感知部；および
前記第１感知部および第２感知部の感知結果に基づいて、当該第１方向指示位置に割り当てられた第１文字または当該第２方向指示位置に割り当てられた第２文字をメモリ部から抽出して入力する制御部；を含み、
前記入力部は、所定の入力半径内で基準位置から前記基準位置を中心に放射状に離隔配置された複数の第１方向指示位置のうちのいずれか一つにスライドする第１方向入力と、前記入力部自体に放射状に離隔配置される複数の第２方向指示位置のうちのいずれか一つに向かって前記入力部全体が傾斜移動する第２方向入力とが、それぞれ独立的に遂行可能に備えられることを特徴とする、文字入力装置。
［付記項６８］  
ベース；
前記ベースに備えられた入力部；
前記ベースおよび入力部の間に備えられて、前記入力部の傾斜移動を支持する支持部；
前記入力部の移動を感知する第１感知部；
前記入力部の傾斜を感知する第２感知部；および
前記第１感知部および第２感知部の感知結果に基づいて、当該第１方向指示位置に割り当てられた第１文字または当該第２方向指示位置に割り当てられた第２文字をメモリ部から抽出して入力する制御部；を含み、
前記入力部は、基準位置から前記基準位置を中心に放射状に離隔配置された複数の第１方向指示位置のうちのいずれか一つに前記入力部全体が傾斜する傾斜移動が遂行される第１方向入力と、前記入力部自体に放射状に離隔配置される複数の第２方向指示位置のうちのいずれか一つに向かって傾斜する第２方向入力とが、それぞれ独立的に遂行可能に備えられることを特徴とする、文字入力装置。
［付記項６９］  
前記第１方向入力および第２方向入力のうちの一つ以上は、２段以上の多段入力が遂行可能に備えられることを特徴とする、付記項６５乃至付記項６８のいずれか一項に記載の文字入力装置。
［付記項７０］  
ベース；
基準位置から前記基準位置を中心に放射状に離隔配置された複数の第１方向指示位置のうちのいずれか一つに移動することによって第１方向入力が遂行される移動入力部と、自体に放射状に離隔配置される複数の第２方向指示位置のうちのいずれか一つを押圧することによって第２方向入力が遂行される押圧入力部と、を含んだ、前記ベースに備えられる入力部；
前記移動入力部の移動を感知する第１感知部；
前記押圧入力部の押圧を感知する第２感知部；および
前記移動入力部の移動が感知された前記第１方向指示位置に割り当てられた第１文字または前記押圧入力部の押圧が感知された第２方向指示位置に割り当てられた第２文字を前記メモリ部から抽出して実行する制御部；を含むことを特徴とする、文字入力装置。
［付記項７１］  
前記移動入力部は、水平移動して第１方向入力を遂行することを特徴とする、付記項７０に記載の文字入力装置。
［付記項７２］  
前記移動入力部は、傾斜移動して第１方向入力を遂行することを特徴とする、付記項７０に記載の文字入力装置。
［付記項７３］  
前記押圧入力部は、前記移動入力部と連動して前記移動入力部の第１方向入力の遂行時に共に移動することを特徴とする、付記項７０に記載の文字入力装置。
［付記項７４］  
前記押圧入力部の下段には、前記移動入力部が第１方向入力をしても前記押圧入力部に対する第２方向入力によって前記押圧入力部と接触可能な位置に配置され、前記押圧入力部の接触によって前記第２感知部に接触する方向押圧入力部が備えられることを特徴とする、付記項７０乃至付記項７３のいずれか一項に記載の文字入力装置。
［付記項７５］  
前記移動入力部の下端を支持すると共に、前記移動入力部が第１方向入力をしても前記押圧入力部に対する第２方向入力によって前記押圧入力部と接触可能な位置に配置され、前記押圧入力部の接触によって前記第２感知部に接触する方向押圧入力部が備えられることを特徴とする、付記項７０乃至付記項７３のいずれか一項に記載の文字入力装置。
［付記項７６］  
前記移動入力部は、スティック形態に構成され、前記第１感知部は前記移動入力部の下端に対応するように備えられて前記移動入力部の移動を感知することを特徴とする、付記項７０乃至付記項７３のいずれか一項に記載の文字入力装置。
［付記項７７］  
前記移動入力部は、押圧入力部上に積層されるように備えられることを特徴とする、付記項７０に記載の文字入力装置。
［付記項７８］  
前記押圧入力部は、前記移動入力部による第１方向入力時に元の位置をそのまま維持することを特徴とする、付記項７７に記載の文字入力装置。
［付記項７９］  
前記押圧入力部の中央は貫通されており、前記第１感知部は押圧入力部の貫通された中央に対応するベースに設置されて、前記移動入力部の第１方向入力を感知することを特徴とする、付記項７８に記載の文字入力装置。
［付記項８０］  
前記第１感知部は前記ベースの側壁に設置されて、前記移動入力部の第１方向入力を感知することを特徴とする、付記項７８に記載の文字入力装置。
［付記項８１］  
ベース；
前記ベースの基準位置に備えられて、基準位置から前記基準位置を中心に放射状に離隔配置される複数の第１方向指示位置のうちのいずれか一つに移動する第１方向入力が遂行される移動入力部；
前記ベースで前記基準位置を中心に放射状に離隔配置される複数の第２方向指示位置上にそれぞれ備えられて、前記第２方向指示位置のうちのいずれか一つを押圧する第２方向入力が遂行される押圧入力部；
前記移動入力部の移動を感知する第１感知部；
前記押圧入力部の押圧を感知する第２感知部；および
前記移動入力部の移動が感知された前記第１方向指示位置に割り当てられた第１文字または前記押圧入力部の押圧が感知された前記第２方向指示位置に割り当てられた第２文字を前記メモリ部から抽出して実行する制御部；
を含み、
前記移動入力部および押圧入力部上には押圧入力部に対する移動または傾斜によって前記移動入力部が同時に移動して第１方向入力が遂行されるようにする膜形態の連動入力部が備えられることを特徴とする、文字入力装置。
【図面の簡単な説明】
【００９７】
【図１】本発明による文字入力装置の構成ブロック図である。
【図２】本発明による文字入力装置が装着された携帯用移動通信端末器の斜視図である。
【図３】本発明の一実施例による文字入力装置の断面斜視図である。
【図４】（ａ）〜（ｅ）は本発明の一実施例による入力部で第１方向入力、第２方向入力および中央入力時の各入力動作を示した作動図である。
【図５】（ａ）、（ｂ）および（ｃ）は本発明の入力部の半径方向移動および円周方向移動を示した作動図である。
【図６】（ａ）〜（ｅ）は本発明による第１方向入力および第２方向入力が組み合わせられた多様な実施例における入力動作を示した作動図である。
【図７】本発明の一実施例による入力部を通した入力状態を示した作動図である。
【図８】図７に示された入力部の拡大斜視図である。
【図９】（ａ）および（ｂ）は本発明の一実施例による入力部およびガイド部を示した平面図である。
【図１０】（ａ）、（ｂ）および（ｃ）は本発明の多様な実施例による入力部の斜視図、平面図および断面図である。
【図１１】（ａ）、（ｂ）、（ｃ）および（ｄ）は本発明の多様な実施例による入力部の斜視図である。
【図１２】本発明の中央組み合わせ入力を説明するための概念図である。
【図１３】本発明の方向組み合わせ入力を説明するための概念図および入力部の平面図である。
【図１４】（ａ）、（ｂ）、（ｃ）および（ｄ）は本発明の方向回転入力を説明するための支持部の平面図である。
【図１５】本発明による文字入力装置で各入力動作に割り当てられた各国文字配列の一実施例を示した表である。
【図１６】（ａ）および（ｂ）は本発明の多様な実施例による文字入力装置の要部図である。
【図１７】本発明の多様な実施例による文字入力装置の要部図である。
【図１８】本発明の多様な実施例による文字入力装置の要部図である。
【図１９】本発明の入力部が左右２セットに備えられた携帯用端末器で入力状態を示した作動図である。
【図２０】図１９に示された携帯用端末器で本発明の文字入力装置が分離された状態を示した分離斜視図である。
【図２１】本発明の入力部が２セットに備えられる場合の各入力動作の多様な組み合わせ例を示した概念図である。
【図２２】（ａ）および（ｂ）は本発明の入力部が２セットに備えられる場合の各入力動作の多様な組み合わせ例を示した概念図である。
【図２３】本発明の入力部および弾性部材を示した要部図である。
【図２４】本発明の入力部周囲に回転ホイールが備えられたものを示した平面図である。
【図２５】本発明による文字入力装置および連結部材の作動関係を示した作動図である。
【図２６】本発明の一実施例による文字入力装置で入力部を通した文字入力例を示した使用状態図である。
【図２７】本発明の一実施例による入力部およびガイド部を示した平面図である。
【図２８】本発明の一実施例による入力部およびガイド部を示した平面図である。
【図２９】本発明の一実施例による入力部およびガイド部を示した平面図である。
【図３０】本発明の一実施例による入力部およびガイド部を示した平面図である。
【図３１】本発明の一実施例による入力部およびガイド部を示した平面図である。
【図３２】本発明の一実施例による入力部およびガイド部を示した平面図である。
【図３３】本発明の一実施例による入力部およびガイド部を示した平面図である。
【図３４】（ａ）および（ｂ）は本発明の一実施例による入力部の入力動作を示した作動図である。
【図３５】（ａ）および（ｂ）は本発明の多様な実施例による入力部を示した図面である。
【図３６】（ａ）および（ｂ）は本発明の多様な実施例による入力部を示した図面である。
【図３７】本発明の多様な実施例による入力部を示した図面である。
【図３８】本発明の多様な実施例による入力部を示した図面である。
【図３９】本発明の多様な実施例による入力部を示した図面である。
【図４０】本発明の多様な実施例による入力部を示した図面である。
【図４１】本発明の多様な実施例による入力部を示した図面である。
【図４２】本発明の多様な実施例による例示図である。
【図４３】本発明の多様な実施例による例示図である。
【図４４】本発明の多様な実施例による例示図である。
【図４５】本発明の多様な実施例による入力方法の実施図である。
【図４６】本発明の多様な実施例による入力方法の実施図である。
【図４７】本発明の多様な実施例による入力方法の実施図である。
【図４８】本発明の多様な実施例による入力方法の実施図である。
【図４９】本発明の多様な実施例による入力方法の実施図である。
【図５０】本発明の多様な実施例による入力方法の実施図である。
【図５１】本発明の多様な実施例による使用状態図である。
【図５２】本発明の多様な実施例による入力端末の例示図である。
【図５３】（ａ）および（ｂ）は本発明の他の実施例による入力方法の実施図である。
【図５４】本発明の他の実施例による入力部を示した図面である。
【図５５】（ａ）、（ｂ）、（ｃ）および（ｄ）は本発明の他の実施例による入力部を示した図面である。
【図５６】本発明の他の実施例による入力部を示した図面である。
【図５７】（ａ）および（ｂ）は本発明の他の実施例による入力部を示した図面である。
【図５８】（ａ）および（ｂ）は本発明の他の実施例による入力部を示した図面である。
【図５９】（ａ）および（ｂ）は本発明の他の実施例による入力部を示した図面である。
【図６０】（ａ）および（ｂ）は本発明の他の実施例による入力部を示した図面である。
【図６１】（ａ）および（ｂ）は本発明の他の実施例による入力部を示した図面である。
【図６２】（ａ）および（ｂ）は本発明の他の実施例による入力部を示した図面である。
【発明を実施するための形態】
【００９８】
以下、添付した図面を参照して本発明について詳細に説明する。
【００９９】
図１は、本発明による文字入力装置１の構成ブロック図であり、図２は本発明による文字入力装置１が装着された携帯用移動通信端末器１００の斜視図である。
【０１００】
図面を参照すれば、本発明による文字入力装置１は、ベース１１０と、第１方向入力（Ｍ）および第２方向入力（Ｐ）がそれぞれ遂行可能に備えられた入力部１０と、入力部１０の移動を感知する第１感知部６１と、第２方向入力を感知する第２感知部６３と、第１感知部６１および第２感知部６３の感知結果に基づいて、各方向指示位置に割り当てられた文字をメモリ部５５から抽出して入力する制御部５１とを含む。
【０１０１】
以下、本発明による文字入力装置１の構成および実施例を各入力動作別に添付した図面を参照して詳しく説明する。
【０１０２】
第１方向入力（Ｍ）
本明細書で第１方向入力（Ｍ）とは、入力部１０が基準位置（Ｓ）から基準位置（Ｓ）を中心に放射状に離隔配置された複数の第１方向指示位置（Ｍ１、Ｍ２、・・・）のうちのいずれか一つに移動して各第１方向指示位置（Ｍ１、Ｍ２、・・・）に割り当てられた文字を入力することとする。
【０１０３】
図３は、図２に示された本発明による入力部１０およびベース１１０の結合断面図である。
【０１０４】
図面を参照すれば、ベース１１０に備えられた入力半径１１１の一側には基準位置（Ｓ、図２参照）が備えられており、基準位置（Ｓ）を中心に放射状に複数の第１方向指示位置（Ｍ１、Ｍ２、・・・）が離隔配置されている。
【０１０５】
そして、ベース１１０には、各第１方向指示位置（Ｍ１、Ｍ２、・・・）に対応して入力部１０の移動を感知する第１感知部６１が備えられている。
【０１０６】
したがって、入力部１０が基準位置（Ｓ）から所定の第１方向指示位置（Ｍ１、Ｍ２、・・・）に向かって移動すると、入力部１０の移動が感知された第１感知部６１の感知信号に基づいて、制御部５１で当該第１方向指示位置（Ｍ１、Ｍ２、・・・）に割り当てられた第１文字をメモリ部５５から抽出して入力する。
【０１０７】
第１感知部６１は、多様な種類に備えられることができ、例えば、圧力センサー、光センサーまたは接触センサーに備えられることもでき、入力半径１１１全体に備えられたタッチパッドに備えられることもでき、トラックポインタ方式に備えられることもできる。
【０１０８】
ここで、第１方向指示位置（Ｍ１、Ｍ２、・・・）は必要に応じて多様な個数に備えられることができ、図３に示されているように、８個（Ｍ１〜Ｍ８）に備えられることもでき、４個に備えられることもでき、６個に備えられることもできる。
【０１０９】
第１方向入力（Ｍ）は多様な方法で遂行されることができるが、例えば、入力部１０が基準位置（Ｓ）に位置した状態（図４（ａ）参照）から所定の第１方向指示位置（Ｍ５）に向かってスライド（または水平移動、図４（ｂ）参照）して遂行されることができる。
【０１１０】
ここで、前記スライドまたは水平移動とは、ベース１１０の底面に対する厳密な水平に限定されるのではない、基準位置（Ｓ）から第１方向指示位置（Ｍ１、Ｍ２、・・・）に向かった可能なすべての角度および方向を含む。
【０１１１】
この場合、入力部１０は第１方向入力（Ｍ）を遂行する時、基準位置（Ｓ）を中心に半径方向に移動できるのはもちろん、図５（ｃ）に示されているように、入力半径１１１内で基準位置（Ｓ）を中心に円周方向にもスライドして遂行されることができる。
【０１１２】
図５は、ハングル文字入力において、［数１］を入力するためのものであって、入力部１０が基準位置（Ｓ）から［数２］が割り当てられた第１方向指示位置（Ｍ１、Ｍ２、・・・）に向かってスライドした後（図５（ｂ）参照）、円周方向に移動して［数３］を入力（図５（ｃ）参照）することを示す。
【０１１３】
【数１】
2014199675.tif 000003
【０１１４】
【数２】
2014199675.tif 000004
【０１１５】
【数３】
2014199675.tif 000005
【０１１６】
ここで、第２方向入力（Ｐ）と母音文字［数４］の入力については後述する。
【０１１７】
【数４】
2014199675.tif 000006
【０１１８】
前述した例で、入力部１０は円周方向に移動する時、複数の第１感知部６１によって感知されることができるが、この場合、制御部５１は入力部１０の移動を最後に感知した第１感知部６１の感知信号のみを有効に判断することができる。
【０１１９】
あるいは、入力部１０の円周方向移動によって各種の機能命令が入力されるようにすることもできるが、例えば、入力部１０を反時計方向に円周移動させると取り消し命令が、時計方向に円周移動させるとスペース命令が入力されるようにすることもできる。
【０１２０】
ここで、図４に示されているように、入力部１０とベース１１０との間に備えられて入力部１０の移動を支持する支持部２５がさらに備えられることもできる。
【０１２１】
一方、第１方向入力（Ｍ）は、図６に示されているように、入力部１０が第１方向指示位置（Ｍ１、Ｍ２、・・・）のうちのいずれか一つに向かって傾斜して遂行されることもできる。
【０１２２】
この場合、入力部１０をベース１１０から所定の高さに離隔支持する支持部２５をさらに含むことができる。
【０１２３】
したがって、第１方向入力（Ｍ）を遂行する時には、図７に示されているように、２以上の指で入力部１０を握って入力部１０全体を各第１方向指示位置（Ｍ１、Ｍ２、・・・）に傾斜して入力し（図６（ｂ）のＭ参照）、第２方向入力（Ｐ）を遂行する時には、入力部１０を支持部２に対して所定の第２方向指示位置（Ｐ１、Ｐ２、・・・）に向かって傾斜する（図６（ｂ）のＰ参照）ことによって入力することができる。
【０１２４】
ここで、第１方向入力（Ｍ）のための入力部１０の動作形態は、前述した形態に限定されず、入力部１０を外部加圧によって部分または全体の変形が可能な素材に製作して、入力動作時に入力部１０の変形方向を感知するようにすることもできる。
【０１２５】
あるいは、具体化した入力部１０を備える代わりに、指の移動を感知する感知部（例えば、タッチパッドやタッチスクリーン）を備えて第１方向入力（Ｍ）を遂行することもできる。
【０１２６】
一方、ベース１１０に備えて、入力部１０の移動をガイドするガイド部４０がさらに備えられることができる。ガイド部４０は、入力部１０が移動する時にユーザが意図する正確な方向に移動させることによって、第１方向入力（Ｍ）時に干渉が発生することなく正確な入力が遂行されるようにする。
【０１２７】
ガイド部４０は、多様な種類に備えられることができ、例えば、ベース１１０に基準位置（Ｓ）から各第１方向指示位置（Ｍ１、Ｍ２、・・・）に向かって所定の形状の溝に形成された直線ガイドに備えられることができる。
【０１２８】
あるいは、図２に示されているように、ベース１１０に入力半径１１１に対応する円板形状の溝が形成されて、入力部１０の半径方向への移動距離を制限すると同時に入力部１０の円周方向への移動をガイドすることができる。
【０１２９】
あるいは、図９に示されているように、各第１方向指示位置（Ｍ１、Ｍ２、・・・）に対応する凹溝に備えられることもできる。
【０１３０】
この場合、入力部１０は前記ガイド部４０に対応する形状に備えられることによって、図９（ｂ）に示されているように、第１方向入力（Ｍ）を遂行する時、ユーザが入力部１０を不正確な方向に移動してもガイド部４０に沿って所定の第１方向指示位置（Ｍ１、Ｍ２、・・・）に移動させることができる。
【０１３１】
図９（ｂ）の詳細実施図である図２８に基づいてより詳しく説明する。
【０１３２】
ガイド部４０は、ユーザが入力部１０を不正確な方向に移動する時に正確な方向に移動するように調整することができるが、図２８のように感知部６１が位置する正確な方向に入力部が進行しなければ、ガイド部４０によって強制的に進行方向が変更され、入力動作時に多くの力を要求されてユーザが不便さを感じる。
【０１３３】
このような場合に、前記ガイド部４０が入力部の動作に応じて流動可能であれば、ユーザがより容易且つ簡単に入力部を動作させることができる。図２７を参照すれば、前記ガイド部４０はベース１１０に固定された形態であるが、一側にシリコンのような弾性体が連結されており、入力部１０の動作に応じてガイドが流動されながら入力部１０の方向をガイドすることができる。
【０１３４】
より具体的に説明すれば、図２９のように、入力部１０がガイド部４０の側面方向に流入されれば、ガイド部４０が入力部１０の入力方向に同一に移動し、入力部１０はガイド部４０を押しながら同一な方向に進行するようになるので、ユーザは入力動作に拒否感なしに入力を遂行することができる。前記移動されたガイド部４０は、入力部の移動が終了した後、弾性力によって元の状態に自動復帰する。
【０１３５】
前記実施例でガイド部４０が流動されると感知部６１も前記ガイド部４０に沿って共に移動されるように備えられる。
【０１３６】
したがって、前述した実施例によれば、ユーザは入力部１０の進行方向を入力しようとする入力方向に正確に移動させなくても、前記流動可能なガイド部４０は前記入力部１０の進行方向に沿って移動され、前記ガイド部４０に沿って前記感知部６１も共に移動されて前記入力部１０に感知されるようになるので、ユーザは拒否感なしにスムーズに入力を完了することができるようになる。
【０１３７】
図３１は、他の形態の流動ガイド部４０であって、入力部１０の円周移動をガイドする。前記ガイド部４０が図３０のように固定されていれば、入力部１０が基準位置（Ｓ）からガイド部４０に向かって移動した後、円周に沿って進行する時、入力部の円周方向への進行力が方向角の抵抗力を越える場合、入力しようとする方向の方向角を容易に通過することができて、次の方向角の感知部が感知されるという問題が発生することがある。
【０１３８】
このような問題を解消するために、図３１では、入力部１０がガイド部４０方向に移動した後、円周に沿って移動する時に、方向角は入力部に沿ってある程度回転した後に入力部の円周方向への進行力を減少させる緩衝作用をし、感知部がガイド部に沿って共に移動するので、入力部に所望の方向の感知部が安定して接地、維持されるようにする。
あるいは、入力部１０下端に支持部２５がある場合、ガイド部４０でない前記支持部が流動したりまたは回転するように備えて、前記前述した実施例におけるガイド部４０が流動されるような効果を発生させることもできる。
【０１３９】
ここで、ガイド部４０は多様な材質に備えられることができ、例えば、弾性材質に備えられることができる。
【０１４０】
一方、第１方向入力（Ｍ）は入力部１０の移動距離の差または移動加圧の強度に応じて２段以上の多段入力が可能に備えられることができる。
【０１４１】
つまり、第１方向入力（Ｍ）が図４（ｂ）に示されているように、入力部１０の水平移動（またはスライド）を通して遂行される場合には、基準位置（Ｓ）から各第１方向指示位置（Ｍ１、Ｍ２、・・・）に向かう入力部１０の移動経路上に順次に２以上の第１感知部６１を備えることができる。
【０１４２】
あるいは、第１方向入力（Ｍ）が図６または図７に示されているように、入力部１０の傾斜によって遂行される時には、入力部１０または支持部２５の傾斜を感知する光センサーを傾斜角度に応じて一つ以上備えることもできる。
【０１４３】
あるいは、図１０（ｂ）に示されているように、入力部１０の縁部に備えられた弾性部材２１または入力部１０自体に各第１方向指示位置（Ｍ１、Ｍ２、・・・）に対応して突出の長さが互いに異なる第１接触部２７ａまたは第２接触部２７ｂを備えることができる。この場合、入力部１０の移動程度に応じて相対的に長い第１接触部２７ａが先にベース１１０に接触し、次に第２接触部２７ｂがベース１１０に接触する。
【０１４４】
前記接触部２７ａ、２７ｂは弾性がある伝導性部材に備えられることができる。
【０１４５】
ここで、２段入力の区分感知のための第１感知部６１の方式は、前述した例に限定されず、多様な変形が可能であることはもちろんである。
【０１４６】
ここで、多段入力時の制御部５１の信号処理方法の一例を説明する。
【０１４７】
例えば、２段の第１方向入力（Ｍ）の場合、２段入力を遂行する時には１段入力が先に遂行されるので、制御部５１は１段の第１方向入力（Ｍ）が遂行された後に所定の待機時間内に２段の第１方向入力（Ｍ）が遂行されるかを待って２段入力の要否を判断することができる。
好ましくは、制御部５１は、先ず１段の第１方向入力（Ｍ）が遂行されると前記待機時間を待たずに直ちに１段入力を処理し、前記待機時間内に２段入力が遂行されると１段入力を取り消して２段入力に変更されるようにできる。この場合、前記待機時間の間に入力が遅延するのを防止することができる。
【０１４８】
あるいは、前記所定時間の経過の代わりに、１段入力の解除か否か（例えば、第１方向入力（Ｍ）が遂行された後に基準位置（Ｓ）に復帰したか否か、または１段入力感知信号が解除（ｏｆｆ）される時）によって１段入力の変更か否かを決定することもできる。
【０１４９】
つまり、１段入力が解除される時、最終入力が決定される。
【０１５０】
このようにすれば、１段入力が遂行されると直ちに入力処理が遂行され、１段入力を解除すると入力決定されるが、待機時間に関係なく１段入力を遂行した状態で解除せずにさらに進行して２段入力が遂行されると、１段入力が取り消しされて２段入力に変更される。
【０１５１】
前記の信号処理方法は、２段入力遂行時に誤入力によって１段入力が処理された時、１段入力を取り消した後に２段入力を遂行する必要なく１段入力処理された状態で直ちに２段入力をさらに遂行して前記１段入力を２段入力に変更することができ、より迅速な入力処理が可能である。
【０１５２】
前述のように、所定の入力信号が感知されると直ちに入力処理をすいこうするものの、 入力が解除されてこそ最終入力が決定されるようにする場合、第１方向入力（Ｍ）または第２方向入力（Ｐ）を遂行する時、誤入力を遂行した場合、入力処理された内容を消して再び入力を遂行する必要なく、誤入力が最終入力決定される前に所望の入力に修正することができ、入力が簡便になる。
【０１５３】
あるいは、第１感知部６１または第２感知部６３を圧力センサーに備える場合には、前記待機時間内に発生した最大圧力値で決定することができる。
【０１５４】
あるいは、第１感知部６１が入力部１０を感知した感知時間に基づいて１段入力および２段入力を区分することもできる。
【０１５５】
例えば、前記感知時間が０．５秒未満であれば１段入力と、０．５秒を超える場合には２段入力と判断することができる。
【０１５６】
圧力センサーの場合にも、前述のように、１段入力が遂行されると直ちに入力処理を遂行し、１段入力が解除されると入力決定されるようにして、１段入力が解除される前に２段入力に該当する感知値が追加で感知されると１段入力を取り消し２段入力が入力決定されるようにできる。
【０１５７】
ここで、前述した多段入力に関する制御部５１の新呼び処理については、第１方向入力（Ｍ）以外に第２方向入力（Ｐ）、中央入力（Ｃ）、方向組み合わせ入力（ＭＰ、ＰＭ）および中央組み合わせ入力（ＣＭ、ＣＰ）等にも同一に適用できることを明らかにする。
【０１５８】
前述のように、第１方向入力（Ｍ）を多段に構成する場合には、その分、割り当てられる文字の個数（または第１方向入力（Ｍ）を通して入力可能な文字の個数）が増加する。
【０１５９】
したがって、第１方向入力（Ｍ）を通して多くの個数の文字を入力しようとする時には、第１方向指示位置（Ｍ１、Ｍ２、・・・）の個数を任意に増加させることなく、多段入力を通して解決することができるので、第１方向指示位置（Ｍ１、Ｍ２、・・・）の個数と多段入力か否かを適切に調節して最適の入力環境を実現することができる。
【０１６０】
一方、第１方向入力（Ｍ）時に２個の第１方向指示位置（Ｍ１、Ｍ２、・・・）が重複して選択される場合、例えば、入力部１０が２個の第１方向指示位置（Ｍ１、Ｍ２、・・・）の中間領域に移動して２個の第１感知部６１で入力部１０の移動が同時に感知される場合、入力信号間の干渉が発生することがある。
【０１６１】
この場合、制御部５１は複数の感知信号の中で最初に発生した感知信号のみを有効に判断することができる。
【０１６２】
つまり、最初に入力された信号を有効に入力処理し、最初信号が解除される前（例えば、第１方向入力（Ｍ）を遂行して基準位置（Ｓ）に復帰する前）または所定時間内に入力された他の信号は無視することができる。
【０１６３】
また、他の方法としては、干渉によって感知可能なすべての信号値をデータベース化して処理することができる。例えば、所定の位置で１個、２個または３個などの第１感知部６１で感知信号が発生される場合、それぞれの場合別の入力値をデータベース化して所定の信号が感知された時、当該データベースで当該入力値を出力処理する。
【０１６４】
第１感知部６１が圧力センサーに備えられる場合には、最大圧力値を示す感知位置のみを有効に判断することができる。
【０１６５】
入力部１０は多様な形状に備えられることができる。
【０１６６】
例えば、図２に示されているように、円板形状に備えられることもでき、多角形板形状に備えられることもでき、図９に示されているように、各第１方向指示位置（Ｍ１、Ｍ２、・・・）方向に側面が突出した形状に備えられることもできる。
【０１６７】
あるいは、図１０（ａ）に示されているように、４個の第２方向指示位置（Ｐ１、Ｐ２、・・・）を有する時には、十字形に備えられることもできる。
【０１６８】
この場合、入力部１０上部面には各第２方向指示位置（Ｐ１、Ｐ２、・・・）に対応してボタン形状の突起部５２が形成されることができる。
【０１６９】
入力部１０は多様な材質に備えられることができ、例えば、弾性材質に備えられることができる。
【０１７０】
第１方向入力（Ｍ）時に入力部１０の移動半径には制限がなく、好ましくは、図２６に示されているように、入力部１０に把持された１指の移動半径内で移動が可能なように備えることができる。
【０１７１】
入力部１０の上部面には、図１１（ａ）に示されているように、第１方向入力（Ｍ）時に入力部１０に接触された指が滑らないようにすべり防止部５１が備えられることができる。
【０１７２】
すべり防止部５１は多様な種類に備えられることができ、例えば、入力部１０上面に凹凸を形成することもでき、入力部１０の中央に凹溝を形成することもできる。
【０１７３】
あるいは、入力部１０は、図１１（ｂ）または（ｃ）に示されているように、第２方向入力（Ｐ）時に指の把持および操作が容易となるように上端一側に突起部５４ａ、５４ｂが備えられることもできる。
【０１７４】
一方、入力部１０は、図１１（ｄ）に示されているように、上部面中央で突出して第１方向入力（Ｍ）または第２方向入力（Ｐ）遂行時に、入力部１０の操作を円滑にするための突出部５３をさらに含むことができる。
【０１７５】
突出部５３は、本発明による文字入力装置１をテーブルや地面に置いて使用する時、親指のみならず、差し指や中指などの指を使用する時にも入力が容易なようにするためである。
【０１７６】
突出部５３は多様な形状に備えられることができ、例えば、図１１（ｄ）に示されているように、環形状に備えられることもでき、凸または凹形態に備えられることもできる。
【０１７７】
一方、突出部５３に一端が挿入される操作棒５６をさらに含み、突出部５３には操作棒か挿入される結合部５５を備えることによって操作棒５６を突出部５３に挿入したまま入力部１０を操作することもできる。
【０１７８】
第２方向入力（Ｐ）
本明細書で第２方向入力（Ｐ）とは、入力部１０自体に放射状に離隔配置される複数の第２方向指示位置（Ｐ１、Ｐ２、・・・）のうちのいずれか一つを選択することによって、当該第２方向指示位置（Ｐ１、Ｐ２、・・・）に割り当てられた第２文字を入力することをいう。
【０１７９】
つまり、第１方向入力（Ｍ）は入力部１０の外部に配置された第１方向指示位置（Ｍ１、Ｍ２、・・・）に向かって入力部１０全体が移動して遂行される反面、第２方向入力（Ｐ）は入力部１０自体に配置された第２方向指示位置（Ｐ１、Ｐ２、・・・）を選択するもので、入力部１０全体の水平移動（またはスライド）や傾斜移動が遂行されない。
【０１８０】
第２方向入力（Ｐ）は多様な方法で遂行できるが、例えば、図４（ｃ）に示されているように、入力部１０が第２方向指示位置（Ｐ１、Ｐ２、・・・）のうちのいずれか一つに向かって傾斜することによって遂行できる。
【０１８１】
この場合、入力部１０およびベース１１０の下部には、入力部１０を初期の水平状態から任意の放射方向に傾斜が可能に支持する支持部２５をさらに含むことができる。
【０１８２】
あるいは、第２方向入力（Ｐ）は、図５に示されているように、入力部１０に各第２方向指示位置（Ｐ１、Ｐ２、・・・）に対応して備えられた押圧部１１のうちのいずれか一つを選択することによって遂行されることもできる。
【０１８３】
ここで、押圧部１１は、入力部１０上端に各第２方向指示位置（Ｐ１、Ｐ２、・・・）を独立的に選択することができる全ての形態（入力部１０自体の傾斜を除く）を含む。
【０１８４】
例えば、入力部１０に各第２方向指示位置（Ｐ１、Ｐ２、・・・）に対応してそれぞれ別途に備えられた押圧ボタンや押圧スイッチであることもでき、入力部１０上端に各第２方向指示位置（Ｐ１、Ｐ２、・・・）に対応して第２感知部６３のみが備えられた押圧位置であることもできる。
【０１８５】
一方、第２方向入力（Ｐ）も第１方向入力（Ｍ）のように円周入力が可能であり、円周入力と関連した入力機能および信号処理は第１方向入力（Ｍ）と同一である。
【０１８６】
ここで、入力部１０は多様な大きさに備えられることができるが、好ましくは、図２６に示されているように、入力部１０上端に押圧部１１が備えられる場合には、入力部１０は１指の移動半径内で各押圧部１１を選択することができる大きさに備えられる。
【０１８７】
あるいは、入力部１０が傾斜することによって第２方向入力（Ｐ）が遂行される場合には、図１１（ｂ）に示されているように、入力部１０に１指が接触された状態で指を傾斜して各第２方向指示位置（Ｐ１、Ｐ２、・・・）に入力部１０を傾斜することができる程度の大きさに備えられるのが好ましい。
【０１８８】
また、入力部が図３２のように備えられた場合、入力部１０が押された時、２個以上の第２感知部６３が同時に感知されることができる。これを防止するために図３３に示されたように、入力部１０は上段部材下部に弾性部材が挿入され、前記弾性部材下部にガイド部４０が備えられる。前記ガイド部４０は第２感知部６３の高さよりも若干小さい固い突起が一定の間隔に形成されてなる。ユーザが入力部１０を押すと、固いガイド部４０によって１個の第２感知部６３のみが入力部の動作に反応するため、干渉が発生しない。
【０１８９】
第２感知部６３は、第２方向入力（Ｐ）が遂行される形態によって多様に備えられる。
【０１９０】
例えば、第２方向入力（Ｐ）が入力部１０の傾斜に応じて遂行される時には、入力部１０の下部縁部に入力部１０の傾斜に応じてベース１１０に順次に接触する段差を備え、前記段差またはベース１１０に入力部１０とベース１１０の接触を感知する接触センサーに備えられたり、入力部１０の傾斜を感知する光センサーなどに備えられることができる。
【０１９１】
あるいは、第２方向入力（Ｐ）が入力部１０に備えられた各押圧部１１によって遂行される場合には、各押圧部１１の下部に備えられた接触センサー、押圧スイッチまたは圧力センサーなどに備えられることができる。
【０１９２】
一方、第２方向入力（Ｐ）は２段以上の多段入力が可能に備えられることができる。
【０１９３】
例えば、入力部１０の傾斜程度または押圧部１１の押圧強度または押圧距離の差によって多段入力をそれぞれ区分して入力することができる。
【０１９４】
図４（ｅ）を参照すれば、第２方向入力（Ｐ）が２段に備えられる場合、例えば、入力部１０の下部縁部に沿って段差を形成し、１段の傾斜によっては下部の第２感知部６３ａがベース１１０に接触し、２段の傾斜によっては上部の第２感知部６３ｂがベース１１０に接触するようにできる。
【０１９５】
あるいは、図１０（ｃ）に示されているように、入力部１０の下部に備えられた弾性部材２１または入力部１０自体に各第２方向指示位置（Ｐ１、Ｐ２、・・・）に対応して突出の長さが互いに異なる第１接触部２７ａまたは第２接触部２７ｂを備えることができる。この場合、入力部１０の傾斜程度によって相対的に長い第１接触部２７ａが先にベース１１０に接触し、次に第２接触部２７ｂがベース１１０に接触する。
【０１９６】
ここで、接触部２７ａ、２７ｂは弾性がある伝導性部材に備えられることができる。
【０１９７】
ここで、多段の第２方向入力（Ｐ）が遂行される場合の制御部５１における信号処理については、第１方向入力（Ｍ）で前述した方法が同一に適用され得る。
【０１９８】
一方、各第２方向指示位置（Ｐ１、Ｐ２、・・・）への接近または接触を感知することによって当該第２方向指示位置（Ｐ１、Ｐ２、・・・）に重複して割り当てられた他の文字を入力するタッチ入力が遂行可能に備えられることができる。
【０１９９】
この場合、図８に示されているように、各第２方向指示位置（Ｐ１、Ｐ２、・・・）に対応する各入力部１０の上段または各押圧部１１に指の接近または接触を感知するタッチ感知部６７が備えられることができる。
【０２００】
例えば、図８で所定の第２方向指示位置（Ｐ２）への接触によっては文字「Ａ」が入力され、当該第２方向指示位置（Ｐ２）の第２方向入力（Ｐ）によって文字「Ｂ」が入力される。
【０２０１】
したがって、タッチ入力を通して第２方向指示位置（Ｐ１、Ｐ２、・・・）に割り当て可能な文字の個数を増加させることができ、第２方向入力（Ｐ）を多段に構成すればより多くの個数の文字を割り当てられることができる。
【０２０２】
ここで、第１方向指示位置（Ｍ１、Ｍ２、・・・）および第２方向指示位置（Ｐ１、Ｐ２、・・・）は多様な個数に備えられることができ、例えば、４方向乃至１２方向のうちのいずれか一つに備えられることができる。
【０２０３】
ここで、第１方向指示位置（Ｍ１、Ｍ２、・・・）および第２方向指示位置（Ｐ１、Ｐ２、・・・）は８個以下に備えられるのが好ましく、これは人の指で操作可能な入力方向の個数が８個を超える場合には、各方向指示位置間の間隔が狭くなって入力正確度が低下するおそれがあるためである。
【０２０４】
この場合、不足な方向指示位置の個数に対しては、後述した中央入力（Ｃ）を組み合わせたり、入力部１０を左右２セットに備えることによって、入力に必要な文字を全て配列しながらも、最適の入力条件を実現することができる。
【０２０５】
また、第１方向指示位置（Ｍ１、Ｍ２、・・・）と第２方向指示位置（Ｐ１、Ｐ２、・・・）は互いに同一な個数にも、互いに異なる個数にも備えられることができる。
【０２０６】
第１方向入力（Ｍ）と第２方向入力（Ｐ）が組み合わせられた実施例
以下、本発明による文字入力装置１において、前述した第１方向入力（Ｍ）および第２方向入力（Ｐ）が組み合わせられた代表的な実施例を説明する。
【０２０７】
まず、第１実施例として、図３に示されているように、第１方向入力（Ｍ）は入力部１０が基準位置（Ｓ）から第１方向指示位置（Ｍ１、Ｍ２、・・・）に向かってスライドして遂行され、第２方向入力（Ｐ）は入力部１０の上端に各第２方向指示位置（Ｐ１、Ｐ２）に対応して備えられた押圧部１１を選択することによって遂行される。
【０２０８】
図４および図６（ｄ）には、本発明の第２実施例による文字入力装置１が示されている。図面を参照すれば、第１方向入力（Ｍ）は入力部１０が基準位置（Ｓ）から第１方向指示位置（Ｍ１、Ｍ２、・・・）に向かってスライドして遂行され、第２方向入力（Ｐ）は入力部１０が水平位置から第２方向指示位置（Ｐ１、Ｐ２、・・・）のうちのいずれか一つに向かって傾斜して遂行される。
【０２０９】
ここで、入力部１０を傾斜が可能なように支持する支持部２５がさらに備えられることができる。支持部２５は多様な種類に備えられることができるのはもちろんである。
【０２１０】
あるいは、支持部２５を備えずに入力部１０自体を弾性材質に備えることもできるのはもちろん、入力部１０とベース１１０の間に変形が可能な弾性体を備えることによって入力部１０の傾斜が可能なようにすることもできる。
【０２１１】
図６（ｃ）には、本発明の第３実施例による文字入力装置１が示されている。つまり、図６（ｃ）は、スティック形態の支持部２５によって支持された入力部１０の水平移動および傾斜移動の例を示したもので、支持部２５と入力部１０の具体的形状と関係なく本明細書で定義した水平移動および傾斜移動が多様に変更可能なことを示したものである。
【０２１２】
図面を参照して説明すれば、第１方向入力（Ｍ）は入力部１０が基準位置（Ｓ）から第１方向指示位置（Ｍ１、Ｍ２、・・・）に向かってスライドして遂行され、第２方向入力（Ｐ）は第２方向指示位置（Ｐ１、Ｐ２、・・・）に向かって傾斜移動されて遂行される。
【０２１３】
図３４を参照して第３実施例の変形例を説明すれば、本変形例による文字入力装置も第３実施例と同様に、入力部１０の水平移動による第１方向入力（Ｍ）と傾斜移動による第２方向入力（Ｐ）がそれぞれ独立的に順次的または同時に遂行可能に備えられる。
【０２１４】
つまり、図３４（ａ）では、入力部１０が先に傾斜移動されて第２方向入力（Ｐ）が遂行された後に、傾斜移動された状態で水平移動されて第１方向入力（Ｍ）が遂行されたことを示したものであり、図３４（ｂ）では、入力部１０の水平移動による第１方向入力（Ｍ）が先に遂行され、継続して傾斜移動による第２方向入力（Ｐ）が遂行される過程を示したものである。
【０２１５】
このような第３実施例および変形例で、「傾斜移動」とは、入力部１０全体が所定の方向に向かって傾斜して（または、支持部２５と同時に）移動することであって、図６（ｂ）での「Ｍ」、 図６（ｃ）での「Ｐ」または 図６（ｅ）での「Ｐ′」がこれに該当する。
【０２１６】
反面、「傾斜」とは、入力部１０が支持部２５に対して傾斜することであって、図６（ｂ）での「Ｐ」、 図６（ｄ）での「Ｐ」または 図６（ｅ）での「Ｐ′」がこれに該当する。
【０２１７】
ここで、前述した「傾斜移動」ではないが、図６（ｄ）および図３４に示されているように、第１方向入力（Ｍ）はスライドによって遂行され、第２方向入力（Ｐ）は入力部１０の傾斜によっても遂行できる。
【０２１８】
あるいは、図６（ｅ）に示されているように、図６（ｃ）で第１方向入力（Ｍ）がスライドによって遂行され、第２方向入力（Ｐ）が傾斜移動によって遂行されることに加えて、入力部１０が元の位置で傾斜することもできる（Ｐ′参照）。
【０２１９】
この時、入力部１０の側面外周面に沿って複数の側面押圧部１５（図８参照）がさらに備えられることができる。
【０２２０】
側面押圧部１５は第２方向入力（Ｐ）のための押圧部１１とは別途に備えられ、各側面押圧部１５には文字が割り当てられることもでき、記号、数字または各種の機能命令が割り当てられることもできる。
【０２２１】
前述した各実施例において、入力部１０は図６（ａ）に示されているように、ベース１１０の内外部に突出および受容が可能に備えられる。
【０２２２】
したがって、入力部１０をベース１１０内部に受容させることによって体積を最少化することができ、入力部１０を突出させる時には容易な操作が可能となる。
【０２２３】
しかし、入力部１０はベース１１０の内外部に突出および受容されるのではなく、ベース１１０上に突出した状態に備えられることができるのは当然である。
【０２２４】
図６（ｂ）には本発明の第４実施例による文字入力装置１が示されている。
【０２２５】
図面を参照すれば、第１方向入力（Ｍ）は入力部１０の「傾斜移動」によって遂行され、第２方向入力（Ｐ）は入力部１０の傾斜によって遂行される。
【０２２６】
図３５には、本発明の第５実施例による文字入力装置が示されている。
【０２２７】
図３５（ａ）を参照すれば、本実施例の文字入力装置は支持部２５に感知部６３が備えられている。そして、前記支持部２５上段には、第２方向指示位置への傾斜によって当該文字を入力する傾斜部１０ｂが載せられており、前記傾斜部１０ｂの移動と復帰を可能にするために弾性を有する弾性部材２１が前記支持部２５と傾斜部１０ｂの間に備えられる。前記傾斜部１０ｂの内側には前記感知部６３に対応する接触突起５７が備えられる。この時、前記接触突起５７および感知部６３は第２方向指示位置上にそれぞれ備えられる。
【０２２８】
そして、前記傾斜部１０ｂの上端には押圧によって当該第１方向指示位置に割り当てられた文字を入力することができるように押圧部１０ａが形成される。
【０２２９】
このような文字入力装置を通して、図３５（ｂ）に示されているように、第１方向入力（Ｍ）は押圧部１０ａの特定の第２方向指示位置を押圧することによって遂行され、第２方向入力（Ｐ）は傾斜部１０ｂを特定の第１方向指示位置に向かって傾斜することによって前記傾斜部１０ｂの接触突起５７が前記感知部６３に接触することによって遂行される。
【０２３０】
一方、図３６は、本発明による第５実施例の変形例を示している。
【０２３１】
図示されているように、本変形例では第１方向入力（Ｍ）は支持部２５の水平移動によって傾斜部１０ｂがベース部１１０に備えられた感知部６１に接触することによって遂行され（図３６（ａ））、第２方向入力（Ｐ）は傾斜部１０ｂを傾斜することによって前記傾斜部１０ｂの接触突起５７が前記支持部２５上の感知部６３に接触することによって遂行される（図３６（ｂ））。
【０２３２】
一方、図３７および図３８には、本発明の第６実施例による文字入力装置が示されている。
【０２３３】
図示されているように、本実施例では入力部１０が移動入力部１０ｃおよび押圧入力部１０ｄに分離されて備えられて、前記移動入力部１０ｃによって第１方向入力（Ｍ）が遂行され、前記押圧入力部１０ｄによって第２方向入力（Ｐ）が遂行される。ここで、特徴は、移動入力部１０ｃが移動した状態でもすべての方向に第２方向入力（Ｐ）が可能なように押圧入力部１０ｄが方向押圧入力部３５０を覆っている程度の面積を有する点である。
【０２３４】
より詳しく説明すれば、本実施例では図３７および図３８に示されているように、スティックタイプの移動入力部１０ｃが傾斜すれば、その傾斜が感知部６１によって感知されるように構成される。この時、前記移動入力部１０ｃの傾斜によって第１方向入力（Ｍ）が遂行される。
【０２３５】
また、前記移動入力部１０ｃが傾斜する時、押圧入力部１０ｄは水平移動される。この時、前記押圧入力部１０ｄを押すと、前記押圧入力部１０ｄが方向押圧入力部３５０を加圧することによって感知部６３が押さえられることによって第２方向入力（Ｐ）が遂行される。
【０２３６】
一方、図３９および図４０には、第６実施例の文字入力装置に対する変形例が示されている。
【０２３７】
図３９を参照すれば、移動入力部１０ｃは独立的に傾斜移動が可能であり、このような傾斜移動によって第１方向入力（Ｍ）が遂行される。つまり、前記移動入力部１０ｃの傾斜を感知部６１が感知することによって入力が処理される。
【０２３８】
また、押圧入力部１０ｄは前記移動入力部１０ｃと分離されて構成され、押圧入力部１０ｄを押すと感知部'３６３がこれを感知して第２方向入力（Ｐ）が処理される。
【０２３９】
図４０を参照すれば、移動入力部１０ｃおよび押圧入力部１０ｄは互いに連結されて一体に移動する。つまり、第１方向入力（Ｍ）のために移動入力部１０ｃが第１方向指示位置に移動すると、押圧入力部１０ｄも共に移動する。したがって、移動入力部１０ｃがどこに位置しても押圧入力部１０ｄを通した第２方向入力（Ｐ）をほとんど同時に遂行することができる。
【０２４０】
この時、押圧入力部１０ｄに対する押圧は感知手段によって感知されることができる。前記感知手段は圧力センサーのみならず、メンブレインやリバードームなどのスイッチ（ボタン）や接触スイッチ、接触センサー、光センサーなどに備えられることができる。
【０２４１】
一方、図４１には、第６実施例の文字入力装置に対する他の変形例が示されている。
【０２４２】
図示されているように、本変形例での入力部１０は、水平移動されてベース部１１０に備えられた感知部６１に接触することによって第１方向入力（Ｍ）を遂行する。そして、前記入力部１０の第２方向指示位置を押すことによって、入力部１０下部の方向押圧入力部３５０が感知部６３を押すことによって第２方向入力（Ｐ）が遂行される。
【０２４３】
以上のような第６実施例およびその変形例によれば、第１方向入力（Ｍ）のために、図３７乃至３９に示されているように、移動入力部１０ｃを傾斜したり、図４０および図４１に示されているように、移動入力部１０ｃまたは入力部１０を水平移動させた状態でも、第２方向入力（Ｐ）を直ちに遂行することができる構造を有する。つまり、第１方向入力（Ｍ）を遂行した状態で第２方向入力（Ｐ）を遂行することができ、第１方向入力（Ｍ）と第２方向入力（Ｐ）の同時操作が可能である。
【０２４４】
図５４は、第６実施例の文字入力装置に対するさらに他の変形例が示されている。
【０２４５】
図示されているように、本変形例での入力部１０は、中央部分が貫通した形態に構成されており、前記入力部１０全体が放射状第１方向指示位置に移動して第１方向入力（Ｍ）が遂行され、前記入力部１０上に放射状に配置される第２方向指示位置を押圧することによって、第２方向入力（Ｐ）が遂行される。この時、第１方向入力（Ｍ）は、入力部１０が備えられたベース１１０上に感知手段を備えたり、入力部１０と放射状に離隔したベース１１０の側部に感知手段を備えて前記入力部１０の移動を感知するようにできる。
【０２４６】
図５５は、第６実施例の文字入力装置に対するさらに他の変形例が示されている。
【０２４７】
図示されているように、本変形例での入力部１０は、リングタイプに備えられる。このようなリングタイプの入力部１０では、図５５（ａ）に示されているように、前記入力部１全体が移動して第１方向入力（Ｍ）を遂行し、入力部１０上の第２方向指示位置を押圧することによって第２方向入力（Ｐ）を遂行することができる。
【０２４８】
前記入力部１０は具体的に図５６に示されているように実現することができる。この時、第１方向入力（Ｍ）は、ベース１１０上に備えられたりベース１１０の側壁に備えられる第１感知部（図示せず）によって感知され、第２方向入力（Ｐ）は、入力部１０下段の第２感知部６３によって感知されることができる。
【０２４９】
また、図５５（ｂ）に示されているように、入力部１０が支持部１０ｅと傾斜部１０ｂに区分されて、前記傾斜部１０ｂを放射状第１方向指示位置に傾斜することによって第１方向入力（Ｍ）が遂行され、前記傾斜部１０ｂ上の第２方向指示位置を押圧することによって第２方向入力（Ｐ）が遂行されるようにすることもできる。
【０２５０】
あるいは、図５５（ｃ）に示されているように、入力部１０が支持部１０ｅと押圧部１０ａに区分されて、前記押圧部１０ａが第１方向指示位置に移動することによって第１方向入力（Ｍ）が遂行され、前記押圧部１０ａ上の第２方向指示位置を押圧することによって第２方向入力（Ｐ）が遂行されるようにすることもできる。
【０２５１】
併せて、図５５（ｄ）に示されているように、前記支持部１０ｅが第１方向指示位置に移動することによって第１方向入力（Ｍ）が遂行され、前記傾斜部１０ｂを放射状第２方向指示位置に傾斜することによって第２方向入力（Ｐ）が遂行されるようにすることもできる。
【０２５２】
図５７は、第６実施例の文字入力装置に対するさらに他の変形例が示されている。
【０２５３】
図５７（ａ）に示されているように、移動入力部１０ｃによって第１方向入力（Ｍ）が遂行され、押圧入力部１０ｄによって第２方向入力（Ｐ）が遂行される。この時、移動入力部１０ｃは押圧入力部１０ｄ上に積層配置される。
【０２５４】
この状態で第１方向入力（Ｍ）は移動入力部１０ｃを第１方向指示位置に移動することによって遂行されるが、移動入力部１０ｃの移動が遂行される時、押圧入力部１０ｄは元の位置をそのまま維持する。したがって、図５７（ｂ）に示されているように、移動入力部１０ｃによる第１方向入力（Ｍ）を遂行した状態［数５］で直ちに第２方向指示位置を加圧すると［数６］、移動入力部１０ｃが押圧入力部１０ｄを加圧するようになって押圧入力部１０ｄに対する押圧が第２感知部６３に感知される。
【０２５５】
【数５】
2014199675.tif 000007
【０２５６】
【数６】
2014199675.tif 000008
反対に、押圧入力部１０ｄに対する第２方向入力（Ｐ）を遂行した状態［数５］で直ちに移動入力部１０ｃを第１方向指示位置に移動させることによって［数６］、第１方向入力（Ｍ）を連続して行うこともできる。
【０２５７】
このような移動入力部１０ｃと押圧入力部１０ｄは具体的に図５８のように具現される。
【０２５８】
つまり、図５８の（ａ）に示されているように、押圧入力部１０ｄの中央は貫通できて、第１感知部６１は押圧入力部１０ｄの貫通できた中央に対応するベース１１０に設置されて、移動入力部１０ｃの第１方向入力（Ｍ）を感知するように構成される。
【０２５９】
この時、前記第１感知部６１はホルセンソナ光センサーに構成されることもでき、この場合、移動入力部の底面には前記ホルセンソに対応して、磁界を発生できる磁石や、光センサーに対応して光を放てる光源のような部材６１（ａ）が装着されることができる。
【０２６０】
または前記第１感知部６１は接触端子であることもあって、この場合、前記移動入力部の底面には突き出されて、前記接触端子に接触して、移動入力部の移動を接触端子で感知することができるように構成されることもできる。
【０２６１】
一方、も５８の（ｂ）に示されているように、ベース１１０の側壁に第１感知部６１が装着されて前記移動入力部１０ｃの移動時に前記移動入力部１０ｃが前記第１感知部６１に接触することによって第１感知部６１が前記移動入力部１０ｃの第１方向入力（Ｍ）を感知するように構成されることもできる。
【０２６２】
図５９は、第６実施例の文字入力装置に対するさらに他の変形例が示されている。
【０２６３】
図示されているように、移動入力部１０ｃは基準位置に備えられ、前記基準位置を中心に放射状離隔配置される複数の第１方向指示位置のうちのいずれか一つに移動する第１方向入力（Ｍ）を遂行する。
【０２６４】
また、押圧入力部１０ｄは前記基準位置を中心に放射状離隔配置される複数の第２方向指示位置上にそれぞれ備えられ、押圧入力部１０ｄを押圧することによって当該第２方向指示位置に対する第２方向入力（Ｐ）が遂行される。
【０２６５】
そして、前記移動入力部１０ｃの周囲の第１方向指示位置には第１感知部６１が備えられて前記移動入力部１０ｃの移動を感知する。また、前記押圧入力部１０ｄの下段には第２感知部６３が備えられて前記押圧入力部１０ｄの押圧を感知する。
【０２６６】
この時、前記移動入力部１０ｃと押圧入力部１０ｄの上段には膜形態の連動入力部１０ｆが備えられる。前記連動入力部１０ｆは押圧入力部１０ｄに対する移動または傾斜によって前記移動入力部１０ｃが同時に移動して第１方向入力（Ｍ）が遂行されるように厚い膜形態に構成される。
【０２６７】
従って、本変形例では、第１方向入力（Ｍ）が移動入力部１０ｃを第１方向指示位置に移動させることによって遂行されるのみならず、押圧入力部１０ｄを第１方向指示位置に対応する方向に移動したり傾斜し、連動入力部１０ｆに連結された移動入力部１０ｃを移動させることによって遂行可能である。
【０２６８】
したがって、本変形例では、押圧入力部１０ｄによる第２方向入力（Ｐ）と移動入力部１０ｃによる第１方向入力（Ｍ）を連続的に遂行することが可能となる。
【０２６９】
図６０は、第６実施例の文字入力装置に対するさらに他の変形例が示されている。
【０２７０】
図示されているように、本発明による入力部１０は、皿形状の支持部１０ｅと前記皿形状に対応する傾斜部１０ｂに区分される。前記傾斜部１０ｂの第１方向指示位置に接触した状態（図６０（ａ）での［数５］）で前記傾斜部１０ｂの放射状外側に指を移動させることによって支持部１０ｅと傾斜部１０ｂが同時に移動するが（図６０（ａ）での［数６］）、このような移動によって第１方向入力（Ｍ）が遂行される。
【０２７１】
また、前記傾斜部１０ｂの第２方向指示位置を押圧（図６０の（ｂ）での［数５］）によって前記傾斜部１０ｂが支持部１０ｅの皿形状に沿って放射状内側に移動して傾斜するが（図６０（ｂ）での［数６］）、このような傾斜によって第２方向入力（Ｐ）が遂行される。
【０２７２】
この時、前記第１方向指示位置と第２方向指示位置は互いに同一であることができるが、前術した通り、第１方向指示位置に対する入力と第２方向指示位置に対する入力は、支持部１０ｅの移動であるか、または傾斜部１０ｂの傾斜移動であるかによって区分される。
【０２７３】
図６１は、第６実施例の文字入力装置に対するさらに他の変形例が示されている。
【０２７４】
図示されているように、本変形例では入力部１０が、移動入力部１０ｃ、押圧入力部１０ｄおよびガイド部４０に区分されて備えられる。前記移動入力部１０ｃは入力部１０の中央部分に配置され、前記移動入力部１０ｃの移動によって入力部１０全体が移動して第１方向入力（Ｍ）が遂行される。このような移動入力部１０ｃの移動は、ベース部１１０上に備えられた感知部６１によって前記移動入力部１０ｃの下端が接触することによって感知されて移動する第１方向指示位置に対する入力が遂行される。
【０２７５】
この時、前記移動入力部１０ｃ上にはすべり防止部５１が備えられて前記移動入力部１０ｃを放射状第１方向指示位置に移動させる時、指が滑らないようにする。
【０２７６】
そして、前記押圧入力部１０ｄは、前記移動入力部１０ｃの周辺に配置され、前記押圧入力部１０ｄを押圧することによって第２方向入力（Ｐ）が遂行される。この時、各押圧入力部１０ｄ間には各押圧入力部１０ｄを押す時、隣接した押圧入力部１０ｄが同時に押さえられるのを防止するためのガイド部４０が備えられる。
【０２７７】
図６２は、本発明による文字入力装置の第７実施例が示されている。
【０２７８】
つまり、図６２（ａ）では、入力部１０下端に備えられた第１接点１１が床に位置したタッチパッド６７ａに接触して方向移動による第１方向入力（Ｍ）信号を認識するように備えられ、図６２（ｂ）では、入力部１０の方向押圧時は前記第１接点１１を基準にして第２接点１２がタッチパッド６７ａに接触すると前記第２接点１２の位置を把握して第２方向入力（Ｐ）信号を認識することができるように備えられる。
【０２７９】
本発明は実際空間上移動（または押圧）しなくても圧力を感知して移動（または押圧）を入力することができるように備えられ、方向移動による第１方向入力（Ｍ）および方向押圧による第２方向入力（Ｐ）は４方向以上になることが好ましい。
【０２８０】
前述した各実施例において、第１方向入力（Ｍ）または第２方向入力（Ｐ）は互いに同一な個数の方向指示位置を有することもでき、互いに異なる個数の方向指示位置を有することもできる。
【０２８１】
また、第１方向入力（Ｍ）または第２方向入力（Ｐ）のうちの一つ以上は多段入力が可能に備えられることができる。
【０２８２】
例えば、第１方向入力（Ｍ）は１段入力に備えられ、第２方向入力（Ｐ）は２段入力に備えられることができる。この場合、第２方向入力（Ｐ）によっては子音文字を入力し、第１方向入力（Ｐ）によっては母音を入力することができる。
【０２８３】
これは、大部分の各国文字において子音文字が母音文字に比べて相対的に個数および使用頻度が多く、多段の入力時に第１方向入力（Ｍ）よりは第２方向入力（Ｐ）が相対的に容易であるためである。
【０２８４】
前述のように、本発明による文字入力装置１は、互いに区分される入力動作を有する第１方向入力（Ｍ）および第２方向入力（Ｐ）を組み合わせて迅速且つ正確に文字を入力することができる。
【０２８５】
これは、子音と母音が反復的に混合して配列されるほとんどすべての各国文字の入力において、子音と母音を各入力動作に応じて区分して入力することができるためである。
【０２８６】
さらに、第１方向入力（Ｍ）および第２方向入力（Ｐ）は各入力動作間に拘束がないため（つまり、いずれか一つの入力動作を遂行するために他の入力動作を必須的に遂行しなければならないなど）、複数の入力動作を継続して遂行することによって一つの入力動作のように遂行することができる。
【０２８７】
例えば、図２６を参照して本発明による文字入力装置１の入力例を説明すれば、アルファベット文字「ＣＡＲ」を入力しようとする時、子音「Ｃ」が割り当てられた第２方向指示位置（Ｐ７）に向かって入力部１０を傾斜（または押圧部１１を選択）した後、母音「Ａ」が割り当てられた第１方向指示位置（Ｍ１）に向かって入力部１０を移動する。次に、子音「Ｒ」が割り当てられた第２方向指示位置（Ｐ２）に向かって入力部１０を再び傾斜すれば良い。ここで、前述した３個の動作は同一または微小な差を置いて順次に遂行されるので、複数の文字からなる単語を連続した１動作のように入力することができる。
【０２８８】
図４２乃至図４４は、本発明による文字入力装置の他の入力例を説明する図面である。
【０２８９】
図４２は、ユーザが所定の第２方向指示位置に向かって方向押圧入力を遂行し、所定の第１方向指示位置（Ｍ１）に向かって方向移動した後［数６］、円周方向に沿って第１方向指示位置（Ｍ３）に移動した後［数７］、基準位置（Ｓ）に復帰する例を示している。
【０２９０】
【数７】
2014199675.tif 000009
【０２９１】
前記の動作で『ＡＢＣ』が入力される。第１方向入力と第２方向入力はほとんど同時に遂行され、この実施例では第２方向入力が僅少な差で先に遂行された。
【０２９２】
また、図４３は、第１方向指示位置（Ｍ１）に向かって移動した後、その位置で第２方向指示位置（Ｐ６）に向かって入力部を傾斜し、円周に沿って第１方向指示位置（Ｍ３）に移動して基準位置（Ｓ）に復帰する例を示している。
【０２９３】
前記の動作で『ＢＡＣ』が入力される。この実施例では第１方向入力が第２方向入力よりも僅少な差で先に遂行される。
【０２９４】
一方、図４４は、第１方向指示位置（Ｍ１）に移動した後、円周に沿って第１方向指示位置（Ｍ３）に移動し、その位置で第２方向指示位置（Ｐ６）に向かって入力部を傾斜した後、基準位置（Ｓ）に復帰する動作であり、前記動作によって『ＢＣＡ』が入力された。
【０２９５】
ここで、前述した３個の動作はそれぞれ遂行されるのではなく、微小な差を置いて連結した動作で遂行できるので、複数の文字からなる単語を連続した１動作のように入力することができる。
【０２９６】
前述した各実施例は、本発明による文字入力装置１において、第１方向入力（Ｍ）および第２方向入力（Ｐ）が組み合わせられた基本的な形態を説明したものであり、その他にも多様な構成の組み合わせが可能であることはもちろん、各構成の形状、大きさ、材質などの変形も制限なく可能である。
【０２９７】
以下、前述した基本的形態に含まれ得る追加構成および多様な変形例について詳細に説明する。
【０２９８】
後述する各構成は単独で適用可能であることはもちろん、２以上が同時に適用されることもでき、この場合に多様な組み合わせが可能であることを予め明らかにする。
【０２９９】
中央入力（Ｃ）
本明細書で中央入力（Ｃ）とは、第１方向入力（Ｍ）または第２方向入力（Ｐ）と別途に入力部１０の中央に備えられた中央入力キー１３を選択したり、入力部１０自体が上下に昇降して遂行されることとする。
【０３００】
中央入力（Ｃ）は、例えば、図３に示されているように、入力部１０の中央に選択可能な中央入力キー１３と、中央入力キー１３の選択を感知する第３感知部６５とによって遂行されることができる。
【０３０１】
あるいは、中央入力（Ｃ）は図４（ｄ）に示されているように、入力部１０全体がベース１１０に対して上下に移動可能に備えられ、前記入力部１０またはベース１１０のうちのいずれか一つに備えられて入力部１０の上下移動を感知する第３感知部６５によって遂行されることもできる。
【０３０２】
ここで、前述した２種類の形態の中央入力（Ｃ）はいずれか一つのみが備えられることもでき、同時に備えられることもできることはもちろんである。
【０３０３】
一方、中央入力（Ｃ）は中央入力キー１３の押圧距離または押圧強度や、入力部１０自体の昇降距離に応じて２段以上の多段入力が可能であることはもちろんである。
【０３０４】
また、中央入力キー１３への接近または接触を感知することによって中央入力キー１３に重複して割り当てられた他の文字を入力するタッチ入力が遂行可能に備えられることができる。
【０３０５】
この場合、中央入力キー１３には指の接近または接触を感知する中央入力キー感知部６９が備えられる。
【０３０６】
ここで、中央入力キー感知部６９が備えられる場合には、制御部５１は中央入力キー感知部６９で指の接触が所定の時間以上感知される場合、タッチ感知部６７の感知結果を無視してタッチ入力が遂行されないようにできる。
【０３０７】
中央組み合わせ入力（ＣＭ、ＣＰ）
本明細書で中央組み合わせ入力（ＣＭ、ＣＰ）とは、中央入力（Ｃ）が第１方向入力（Ｍ）および第２方向入力（Ｐ）のうちのいずれか一つと同時に遂行されることとする。
【０３０８】
例えば、図４（ｂ）のように、第１方向入力（Ｍ）を遂行する時、図３に示された中央入力キー１３を押したまま、入力部１０を所定の第１方向指示位置（Ｍ１、Ｍ２、・・・）に向かって移動させたり、または図４（ｃ）のように第２方向入力（Ｐ）を遂行する時、中央入力キー１３を押したまま入力部１０を所定の第２方向指示位置（Ｐ１、Ｐ２、・・・）に向かって傾斜する。
【０３０９】
図１２は、中央組み合わせ入力（ＣＭ、ＣＰ）の入力方法を説明するための概念図である。
【０３１０】
図面を参照して第１方向入力（Ｍ）と中央入力（Ｃ）が組み合わせることを例に挙げて説明すれば、入力部１０を所定の第１方向指示位置（Ｍ１）に移動させる過程で、中央入力（Ｃ）が遂行された状態で移動すると、方向組み合わせ入力（ＣＭ１）が遂行される反面、中央入力（Ｃ）の遂行なく入力部１０のみ移動すると、第１方向入力（Ｍ１）が遂行される。
ここで、中央組み合わせ入力（ＣＭ、ＣＰ）は、第１方向入力（Ｍ）、第２方向入力（Ｐ）および中央入力（Ｃ）のうちの一つ以上が２段以上の多段入力に備えられる場合にも適用されることができる。
【０３１１】
例えば、図１７に示されているように、第１方向入力（Ｍ）が２段に備えられる場合には、１段の第１方向入力（Ｍ１１）と中央入力（Ｃ）が組み合わせられた１段の中央組み合わせ入力（ＣＭ１１）と、２段の第１方向入力（Ｍ２１）と中央入力（Ｃ）が組み合わせられた２段の中央組み合わせ入力（ＣＭ２２）が可能である。
【０３１２】
反対に、図１８に示されているように、第１方向入力（Ｍ）を１段に構成して中央入力（Ｃ１、Ｃ２）を２段に構成することによって、第１方向入力（Ｍ１）と１段の中央入力（Ｃ１）が組み合わせられた１段の中央組み合わせ入力（Ｃ１Ｍ１）と、第２方向入力（Ｍ１）と２段の中央入力（Ｃ２）が組み合わせられた２段の中央組み合わせ入力（Ｃ２Ｍ１）が可能に備えられることもできる。
【０３１３】
したがって、中央組み合わせ入力（ＣＭ、ＣＰ）が遂行可能に備えられる場合には、第１方向指示位置（Ｍ１、Ｍ２、・・・）および第２方向指示位置（Ｐ１、Ｐ２、・・・）に文字を重複して割り当てられるので、別途の追加構成がなくても入力容量（入力可能な文字の個数）を増加させることができるようになる。
【０３１４】
前述した２種類の場合において、中央組み合わせ入力（ＣＭ、ＣＰ）は第１方向入力（Ｍ）でない第２方向入力（Ｐ）と組み合わせることもできるのはもちろんである。
【０３１５】
つまり、中央組み合わせ入力（ＣＭ、ＣＰ）は前述した全ての形態の第１方向入力（Ｍ）および第２方向入力（Ｐ）と前述した全ての形態の中央入力（Ｃ）が制限なく組み合わせられることができる。
【０３１６】
このような組み合わせ入力を通してテキスト入力時に文字のみでない数字、記号なども共に入力することができる。つまり、通常使用される携帯機期ではキーボード配置が限定されており、通常の場合、数回のモード変更を経て数字や記号などを入力するようになるので、入力動作の回数が増加し、その分、入力速度が遅くなる。
【０３１７】
ところで、本発明による文字入力装置は、中央入力（Ｃ）と第１方向入力（Ｍ）または第２方向入力（Ｐ）の組み合わせ入力を通して数字や記号も１動作で極めて容易且つ迅速に入力することができる。そして、このような組み合わせ入力を通して入力容量を２倍に増加させることができる。
【０３１８】
前述した中央組み合わせ入力（ＣＭ、ＣＰ）の具体的な例を図４５および図４６を参照して説明する。
【０３１９】
図４５は、中央入力（Ｃ）および第１方向入力（Ｍ）（方向移動入力）および第２方向入力（Ｐ）（方向押圧入力）との組み合わせ入力に対する実施図である。前記図面を参照すれば、第１方向指示位置の各方向には［数８］、［数９］、［数１０］、［数１１］の文字が割り当てられ、第２方向指示位置の各方向には［数１２］、［数１３］、［数１４］、［数１５］の文字が割り当てられている。
【０３２０】
【数８】
2014199675.tif 000010
【０３２１】
【数９】
2014199675.tif 000011
【０３２２】
【数１０】
2014199675.tif 000012
【０３２３】
【数１１】
2014199675.tif 000013
【０３２４】
【数１２】
2014199675.tif 000014
【０３２５】
【数１３】
2014199675.tif 000015
【０３２６】
【数１４】
2014199675.tif 000016
【０３２７】
【数１５】
2014199675.tif 000017
【０３２８】
前記入力部１０を９時方向に第１方向入力すると、当該方向の第１方向指示位置に割り当てられた文字」［数１１］が入力される。しかし、前記入力部を中央入力［数５］を遂行したまま１２時方向に方向移動すると［数６］、前記１２時方向に割り当てられた「数字モード」が活性化し、前記方向押圧キーボードには［数１２］、［数１３］、［数１４］、［数１５］の代わりに数字「１」、「２」、「３」、「４」が割り当てられる。次に、前記入力部を９時方向に押して第２方向入力すると、これによって数字４が入力される。
【０３２９】
図４６を参照すれば、図４６は、方向移動入力後に中央入力を遂行する場合、方向移動入力に割り当てられた文字以外に他の文字が入力されることを示す。例えば、１２時方向に方向移動入力のみを遂行する場合には［数８］が入力されるが、方向移動入力後に中央入力を遂行する場合には記号「？」が入力される。
【０３３０】
方向組み合わせ入力（ＭＰ、ＰＭ）
本明細書で方向組み合わせ入力（ＭＰ、ＰＭ）とは、第１方向入力（Ｍ）または第２方向入力（Ｐ）のうちのいずれか一つが先に遂行された状態で継続して他の一つが遂行される時、前記入力動作に割り当てられた第３文字が入力されることとする。
【０３３１】
つまり、方向組み合わせ入力（ＭＰ、ＰＭ）は、図４（ｂ）に示されているように、第１方向入力（Ｍ）を先に遂行した状態、つまり、入力部１０が第１方向指示位置（Ｍ）に移動した状態で図４（ｃ）に示された第２方向入力（Ｐ）が遂行されたり、その反対の場合に遂行される。
【０３３２】
図１３は、方向組み合わせ入力（ＭＰ、ＰＭ）の入力方法を説明するための概念図である。
【０３３３】
図面を参照すれば、方向組み合わせ入力（Ｍ１Ｐ１）は入力部１０を第１方向指示位置（Ｍ１）に移動した状態で、第２方向指示位置（Ｐ１）で第２方向入力（Ｐ）が遂行されたことを示す。
【０３３４】
反対に、方向組み合わせ入力（Ｐ１Ｍ１）は第２方向指示位置（Ｐ１）に第２方向入力（Ｐ）を遂行した状態で第１方向指示位置（Ｍ１）に第１方向入力（Ｍ）が行われた場合を示す。
【０３３５】
もちろん、第１方向指示位置（Ｍ１、Ｍ２、・・・）と第２方向指示位置（Ｐ１、Ｐ２、・・・）の方向を異なって入力が可能であり、例えば、第１方向指示位置（Ｍ２）に入力部１０を移動した状態で第２方向指示位置（Ｐ４）に第２方向入力（Ｐ）が遂行されると、方向組み合わせ入力（Ｍ２Ｐ４）が遂行される。
【０３３６】
ここで、前述のように、方向組み合わせ入力（Ｍ１Ｐ１、Ｐ１Ｍ１）は組み合わせられる第１方向入力（Ｍ）および第２方向入力（Ｐ）の順序によってそれぞれ互いに異なる文字を入力することもできるが、組み合わせの順序に関係なく同一な文字が入力されるようにすることもできる。
【０３３７】
つまり、方向組み合わせ入力（Ｍ１Ｐ１）および方向組み合わせ入力（Ｐ１Ｍ１）によって同一な文字が入力されることができる。
【０３３８】
一方、方向組み合わせ入力（ＭＰ、ＰＭ）が可能に備えられない場合には、第１方向入力（Ｍ）と第２方向入力（Ｐ）が同時に遂行されても各入力が独立的に遂行されることはもちろんである。
【０３３９】
つまり、図５に示された実施例の場合には、［数１４］を入力するための第２方向入力（Ｐ）と［数９］を入力するための第１方向入力（Ｍ）が同時に遂行される時には、組み合わせられた新たな文字が入力されるのではない、各入力動作によってハングル文字［数１６］が入力される。
【０３４０】
【数１６】
2014199675.tif 000018
【０３４１】
以上のような方向組み合わせ入力（ＭＰ、ＰＭ）に対して図４７を参照して追加的に説明する。
【０３４２】
図示されているように、所定の方向に方向移動入力を遂行すると、文字の代わりに数字や記号が入力可能である。つまり、５時方向または７時方向に第１方向入力（Ｍ）を遂行する場合には、押圧部は同一に文字部（子音または母音）入力であるが、１時方向または１１時方向に第１方向入力（Ｍ）を遂行する場合には、押圧部が記号キーボードや数字キーボードに転換されて前記記号や数字に対して第２方向入力（Ｐ）を遂行することができる。
【０３４３】
このような第１方向入力（Ｍ）と第２方向入力（Ｐ）の組み合わせを通しては、入力容量を顕著に増加させて記号や数字へのモード変更なく直ちに数字や記号を入力することができる長所がある。
【０３４４】
ここで、前述した中央入力（Ｃ）、中央組み合わせ入力（ＣＭ、ＣＰ）および方向組み合わせ入力（ＭＰ、ＰＭ）は必要に応じて第１方向入力（Ｍ）および第２方向入力（Ｐ）に加えて自由に組み合わせて使用することができるのはもちろん、各入力において方向指示位置の個数および多段か否かも制限なく変更して使用することができるという点を明らかにする。
より詳しく説明すれば、中央入力（Ｃ）、第１方向入力（Ｍ）および第２方向入力（Ｐ）を全て遂行して新たな文字コードを入力することもできる。この時は、中央入力、第１または第２方向入力、第１または第２方向入力をしたり、第１または第２方向入力、中央入力、第１または第２方向入力の順に入力を遂行することができ、このような一連の入力によって所定の文字で派生する派生文字や単語または数字、記号などを拡張して入力することができる。
【０３４５】
このような中央入力（Ｃ）、中央組み合わせ入力（ＣＭ、ＣＰ）および方向組み合わせ入力（ＭＰ、ＰＭ）が組み合わせられた形態について、図４８および図４９を参照して説明する。
【０３４６】
図４８に示されているように、中央入力［数５］をすると、第２方向指示位置に「記号」、「付加情報」、「インターネット接続」、「検索」などの命令語が配列される。この時、中央入力をした状態で「記号」が配列された方向に第１方向入力［数６］をすると、再び第２方向指示位置には前記「記号」に属する「@、$、％、・・・」などが配列されるので、前記記号中の「＠」を選択するために、「＠」が配列された第２方向指示位置に対して第２方向入力［数７］をして前記「＠」を入力処理することができる。
【０３４７】
このような方式で、図４８に示された「化面設定」に含まれている「待機画面」や「機能画面」等の設定も可能である。
【０３４８】
そして、中央入力、第１方向入力および第２方向入力の組み合わせによって日本語のひらがなおよびカタカナまたは漢字のように文字の個数が３２個を越える場合にも、すべての文字を配列することができるのみならず、迅速に入力することができる。
【０３４９】
また、図４９は、第１または第２方向入力、中央入力および第１または第２方向入力の組み合わせを示す。例えば、１２時方向に入力部１０を第１方向入力した後に中央入力を遂行し、継続して９時方向に第２方向入力を遂行すると、記号「，」が入力される。
【０３５０】
一方、図５０は、第１方向入力、中央入力および第１方向入力が多段階に組み合わせられた例を示す。つまり、９時方向に第１方向入力を遂行した後に、中央入力を遂行し、継続して基準位置に復帰する第１方向入力を再び遂行すると、記号「，」が入力される。
【０３５１】
前記場合に、第１方向入力の代わりに第２方向入力が中央入力と組み合わせられることができ、第１方向入力と第２方向入力が混合して組み合わせられることができる。
【０３５２】
言い換えると、信号組み合わせにおいて方向入力は、第１方向入力または第２方向入力である。つまり、前記で第１方向入力を基準にして説明したが、前記実施例は第２方向入力とも組み合わせられることができる。
【０３５３】
方向回転入力（Ｒ）
本明細書で方向回転入力（Ｒ）とは、入力部１０がベース１１０上で基準位置を中心に左右方向に自体回転されて割り当てられた文字またはデータを入力することとする。
【０３５４】
入力部１０の回転は多様な方法で実現されることができ、例えば、図１４（ａ）に示されているように、支持部２５を互いに相対移動が可能な第１支持部２５ａおよび第２支持部２５ｂに分割して備えることができる。
【０３５５】
ここで、第１支持部２５ａが固定され、第２支持部ｂが第１支持部２５ａ方向に回転することもでき、その反対であっても良い。
【０３５６】
第１支持部２５および第２支持部２５の間にはそれぞれ回転方向に回転感知部６８ａ、６８ｂが備えられている。
【０３５７】
入力部１０を右側方向（Ｒ１）に回転させると、第１支持部２５ａが回転して回転感知部６８ｂで回転を感知し、入力部１０を左側方向（Ｒ２）に回転させると、回転感知部６８ａで回転を感知する。
【０３５８】
あるいは、図１４（ｂ）に示されているように、入力部１０の一側に回転突起７７を形成し、回転突起７７の左右側にはそれぞれ回転突起７７の回転距離方向に順次に配置された回転感知部６８ｃ、６８ｄ、６８ｅ、６８ｆを備えることができる。
【０３５９】
前述した入力部１０の左右方向回転は、回転距離（または回転角度）に応じて２段回転が可能であり、つまり、入力部１０を右側に１段回転すると、右側の第１の回転感知部６８ｃで１段回転を感知し、入力部１０を右側にさらに回転させて２段回転する場合には、右側の第２の回転感知部６８ｄで２段回転を感知するようにできる。
【０３６０】
文字の配列
本明細書で「文字」とは、ハングル文字、英語文字または日本語文字など各国言語による狭い意味の文字を意味することとする。
【０３６１】
しかし、本発明による文字入力装置で入力可能なデータは、前記文字に限定されず、数字、記号またはエンター、スペース、取り消しなどの各種の機能命令を含むことができる。
【０３６２】
また、本明細書で「母音」とは、外国語の場合、発音がハングル母音に該当したり言語学上の分類基準によって同外国語のアルファベットを２種類に分けた時、相対的に個数が少ないアルファベット集団に属することとする。
【０３６３】
本発明による文字入力装置１で、前述した第１方向入力（Ｍ）、第２方向入力（Ｐ）、中央入力（Ｃ）、中央組み合わせ入力（ＣＭ、ＣＰ）または方向組み合わせ入力（ＭＰ、ＰＭ）に文字を配置する方法には特に制限がない。
【０３６４】
しかし、より効率的な文字入力のために、次のような方法で文字を配列することが可能である。
【０３６５】
まず、各国文字を配列することにおいて、子音文字と母音文字の入力がそれぞれ互いに異なる入力動作によって入力されるようにできる。
【０３６６】
例えば、第１方向入力（Ｍ）によっては子音文字を入力し、第２方向入力（Ｐ）によっては母音文字を入力したり、その反対に入力するようにできる。
【０３６７】
これは、ユーザが各入力動作別に入力される文字を直ちに連想することができるので、本発明による文字入力装置１に簡単に慣れるという長所がある。
【０３６８】
図１５は、前述した実施例による各国文字の配列例を示した表である。
【０３６９】
図面を参照すれば、２段の第１方向入力（Ｍ）には各国文字の子音文字が配列され、２段の第２方向入力（Ｐ）には各国文字の母音文字が配置されることができる。
【０３７０】
この時、基本的に子音と母音は、第１方向指示位置（Ｍ１、Ｍ２、・・・）および第２方向指示位置（Ｐ１、Ｐ２、・・・）に分けて配列されるが、ハングル文字の場合、母音［数１７］、［数１８］が第１方向指示位置（Ｍ１、Ｍ２、・・・）に配列されたり、アルファベットの場合、子音「Ｖ」、「Ｚ」が第２方向指示位置（Ｐ１、Ｐ２、・・・）に割り当てられるなど、必要に応じて互いに異なる方向指示位置に割り当てられることができるのはもちろんである。
【０３７１】
【数１７】
2014199675.tif 000019
【０３７２】
【数１８】
2014199675.tif 000020
【０３７３】
この場合、第２方向指示位置（Ｐ１、Ｐ２、・・・）には、母音文字以外に、エンター、スペース、バックカーソル、取り消し（ＥＳＣ）等の機能命令がさらに割り当てられることができる。
【０３７４】
また、アルファベットの場合、使用頻度の高い連続した文字、例えば、「ＣＨ」または「ＩＮＧ」などは一つの方向指示位置に割り当てられることもできる。
【０３７５】
ここで、アルファベットの母音「Ａ、Ｅ、Ｉ、Ｏ、Ｕ」以外に「Ｗ、Ｘ、Ｙ」は母音のような効果があり、本明細書では母音部と定義する。
【０３７６】
一方、１段の中央入力（Ｃ１）にはモード変更ウィンド、そして２段の中央入力（Ｃ２）にはマウスモード転換機能が割り当てられることができる。
【０３７７】
図１６（ａ）に示されているように、第２方向指示位置（Ｐ１、Ｐ２、・・・）が４個に備えられ、第２方向入力（Ｐ）が２段に入力可能に備えられる場合、アルファベットを配列する時、「Ａ、Ｘ」、「Ｅ、Ｉ」、「Ｗ、Ｙ」、「Ｏ、Ｕ」を第２方向指示位置（Ｐ１、Ｐ２、・・・）に割り当てて、１段および２段の第２方向入力（Ｐ）によって重複して割り当てられた前記各文字が区別して入力されるようにできる。
【０３７８】
つまり、１段の第２方向入力（Ｐ）によっては「Ｅ（Ｐ１２）」が入力され、２段の第２方向入力（Ｐ）によっては「Ｉ（Ｐ２２）」が入力されることができる。
【０３７９】
あるいは、ハングル文字を配列する時には、図１６の（ｂ）に示されているように、第２方向入力（Ｐ）に［数１２］、［数１９］、［数１３］、［数２０］、［数１４］、［数２１］、［数１５］、［数２２］が重複して割り当てられて、１段および２段の前記第２方向入力によって割り当てられた前記各文字が区別して入力されるようにできる。
【０３８０】
【数１９】
2014199675.tif 000021
【０３８１】
【数２０】
2014199675.tif 000022
【０３８２】
【数２１】
2014199675.tif 000023
【０３８３】
【数２２】
2014199675.tif 000024
【０３８４】
もちろん、図１６に示されたのと反対に、第１方向入力（Ｍ）が４個の第１方向指示位置（Ｍ１、Ｍ２、・・・）を有して２段入力に構成され、第１方向入力（Ｍ）によって母音文字が入力されることもできる。
【０３８５】
アルファベットとハングルで前述のように類似した形状の文字どうし配列する場合には、第２方向指示位置（Ｐ１、Ｐ２、・・・）から母音文字の形状が連想されるので、ユーザが簡単に慣れることができる。
【０３８６】
特に、ハングルの場合には、東［数１２］、西［数１３］、南［数１４］、北［数１５］に前記のように母音文字を配列すると、方向によって母音文字の形状が連想されるので、ユーザが容易に慣れることができる。
【０３８７】
あるいは、アルファベット配列において、各文字の形態が類似するものどうし集めて配置することもできる。
【０３８８】
例えば、「ｂ、ｄ」、「ｐ、ｑ」、「ｉ、ｊ」、「ｍ、ｗ」、「ｕ、ｖ」、「ｋ、ｘ」、「ｃ、ｏ」、「ａ、ｅ」、「ｓ、ｚ」、「ｌ、ｒ」、「ｆ、ｔ」、「ｎ、ｈ」、「ｙ、ｇ」のように、２個の文字を同一な方向指示位置に重複して割り当て、１段および２段の多段入力によって互いに区分して入力するようにすることもできる。
【０３８９】
あるいは、集められた２個の文字のうちのいずれか一つは、第１方向入力（Ｍ）に割り当てられ、他の一つは第２方向入力（Ｐ）に割り当てられることもできる。
【０３９０】
一方、第１方向入力（Ｍ）または第２方向入力（Ｐ）のうちのいずれか一つによって数字、記号、各種の機能命令またはモード変更のうちのいずれか一つが遂行されるようにすることができ、中央入力（Ｃ）によっては入力モードの転換またはエンター、ＯＫなどの各種の機能命令が遂行されることができる。
【０３９１】
ここで、電話モードの時には、通話／終了のボタンで遂行されることができる。
【０３９２】
一方、本発明による文字入力装置１は、入力部１０を利用してマウスやジョイスティックの機能を遂行することもできるが、この場合、マウス入力モードでは、入力部１０の第１方向入力（Ｍ）によってはポインタの移動が、第２方向入力（Ｐ）によってはマウスの左右ボタンまたはスクロール機能が遂行されることができる。
【０３９３】
この場合、マウスの左ボタンに該当する方向の第２方向入力（Ｐ）を遂行したまま第１方向入力（Ｍ）を遂行すると、マウスでのようにドラッグが可能である。これと関連した信号処理は、一般に使用されるマウスでの信号処理方法がそのまま使用されることができる。
【０３９４】
あるいは、第１方向入力（Ｍ）が多段に遂行される場合、マウスポインタ／ゲームキャラクターの移動速度を段階別に調節することもできる。
【０３９５】
あるいは、ゲームモードでは第１方向入力（Ｍ）によってはキャラクターの移動が遂行され、第２方向入力（Ｐ）によってはキャラクターの各種の操作命令が遂行されることができる。
【０３９６】
ここで、前述したマウスモードやジョイスティックモードでの変換は、別途のモード転換キー１２１を利用することもできるが、入力部１０を通して遂行されることもでき、例えば、入力部１０を円周方向に移動させたり、１段または２段の中央入力（Ｃ）を遂行したり、または第１方向入力（Ｍ）を２段に遂行すると、入力モードが変換されるようにできる。
【０３９７】
中央入力（Ｃ）を遂行すると他のモードに移動することができる入力モード変更ウィンドが表示され、第１方向入力（Ｍ）または第２方向入力（Ｐ）を通して各種のモードに移動することができる。
【０３９８】
あるいは、中央入力（Ｃ）を遂行した状態で第１方向入力（Ｍ）または第２方向入力（Ｐ）を通して各種のモード、例えば、ハングル入力モード、アルファベット入力モード、数字入力モード、記号入力モード、マウスまたはジョイスティック入力モードを選択することができる。つまり、中央入力（Ｃ）を遂行した状態を維持している間には、文字表示部７２やキーボード表示部７４に各方向指示位置に本来割り当てられた文字の代わりにそれぞれの入力モードが表示される。
【０３９９】
２セット
本発明による文字入力装置１はベース１１０に２以上が備えられることができる。
【０４００】
図１９は、携帯用移動通信端末器１００のベース１１０に左右２個の入力部１０、１０′が備えられた状態での入力例を示した作動図である。
【０４０１】
この場合、２個の入力部１０、１０′は互いに同一な構成に備えられることもでき、互いに異なる構成に備えられることもできる。
【０４０２】
つまり、左側の入力部１０は、第１方向入力（Ｍ）、第２方向入力（Ｐ）および中央入力（Ｃ）が可能に備えられ、右側の入力部１０′は、第１方向入力（Ｍ）、第２方向入力（Ｐ）、中央入力（Ｃ）に加えて中央組み合わせ入力（ＣＭ、ＣＰ）や方向組み合わせ入力（ＭＰ、ＰＭ）が可能に備えられることができる。
【０４０３】
また、各方向指示位置の個数が互いに異なることもでき、いずれか一側は２段入力が可能に備えられることもできる。
【０４０４】
図２１は、入力部１０、１０′が２セットに備えられる場合に、各入力部１０、１０′の構成の一例を示した概念図である。
【０４０５】
図面を参照すれば、各入力部１０、１０′は、２段の第１方向入力（Ｍ）と２段の第２方向入力（Ｐ）に構成され、第１方向指示位置（Ｍ１、Ｍ２、・・・）および第２方向指示位置（Ｐ１、Ｐ２、・・・）はそれぞれ８個ずつ備えられている。
【０４０６】
したがって、入力部１０、１０′を通して入力可能な文字の個数は中央入力（Ｃ）を除いて、第１方向入力（Ｍ）を通して１６個、第２方向入力（Ｐ）を通して１６個、総３２個であり、入力部１０、１０′が左右２個に備えられるので、入力可能な文字の総計の個数は６４個となる。
【０４０７】
これは、ハングル文字２４個、アルファベット２６字を全て配列しても残る入力容量であるから、１動作１音素入力が可能で、残る方向指示位置には記号、数字や各種機能命令などが追加的に入力される。
【０４０８】
したがって、文字、数字、記号などを別途のモード変更なくても直ちに入力できて迅速な文字入力が可能になる。
【０４０９】
例えば、２個の入力部１０、１０′のそれぞれの２段の第２方向入力（Ｐ）によっては文字を入力し、第１方向入力（Ｍ）によってはマウスポインタ／ゲームキャラクターの移動、エンター、スペース、取り消しなどの機能命令、モード変更、方向指示入力などを行うこともできる。前記方向指示入力を通してはカーソル移動やメニュー移動、チャンネル／ボリューム調節などを遂行することができる。
【０４１０】
ここで、第１方向入力（Ｍ）は１段入力にのみ構成することもでき、図２１に示されているように、２段入力に構成する時には、数字、記号などがさらに配列可能なことはもちろんである。
【０４１１】
反対に、２個の入力部１０、１０′のそれぞれの２段の第１方向入力（Ｍ）によっては文字を入力し、第２方向入力（Ｐ）によっては機能命令、モード変更、方向指示入力などを遂行することもできる。
【０４１２】
あるいは、いずれか一つの入力部１０によっては文字を入力し、他の一つの入力部１０′によっては前述したマウスポインタ／ゲームキャラクターの移動、機能命令、モード変更、方向指示入力などを遂行したり、数字または記号などの入力を遂行することもできる。
【０４１３】
この場合、文字入力とマウスを同時に使用することができ、デスクトップコンピュータでキーボードとマウスを同時に使用する効果を得ることができるので、各種の作業はもちろん、キーボードとマウスを同時に使用しなければならない複雑な操作が要求されるゲームなどを小型端末器でも遂行することができるという長所がある。
【０４１４】
前述した場合にも、第１方向入力（Ｍ）および第２方向入力（Ｐ）のうちの一つ以上が２段に構成される場合には、数字、記号などをさらに配列して入力可能なことはもちろんである。
【０４１５】
図２２は、他の実施例による入力部１０、１０′の構成を示した概念図であって、それぞれは同一な構成を有する２セットの入力部１０、１０′のうちで一つのみを示したものである。
【０４１６】
まず、図２２（ａ）の場合、第１方向入力（Ｍ）は８個の第１方向指示位置（Ｍ１、Ｍ２、・・・）を有し、第２方向入力（Ｐ）は４個の第２方向指示位置（Ｐ１、Ｐ２、・・・）を有する。
【０４１７】
反対に、図２２（ｂ）の場合は、第１方向入力（Ｍ）が４個の第１方向指示位置（Ｍ１、Ｍ２、・・・）を有し、第２方向入力（Ｐ）が８個の第２方向指示位置（Ｐ１、Ｐ２、・・・）を有する。
【０４１８】
したがって、各実施例において、一つの入力部１０を通して入力可能な文字の個数は総１２個であるため、２個の入力部１０、１０′を通して総２４個の文字入力が可能である。
【０４１９】
ここで、第１方向入力（Ｍ）または第２方向入力（Ｐ）のうちのいずれか一つを２段入力に構成する場合、割り当てられる文字の個数をさらに増加させることができる。
【０４２０】
つまり、図２２（ａ）で第１方向入力（Ｍ）を２段に構成すれば、一つの入力部１０に総２０個の文字の割り当てが可能であり、第２方向入力（Ｐ）を２段に構成する場合には総１６個の文字の割り当てが可能となる。
【０４２１】
入力部１０がベース１１０に２セットに備えられる場合、各入力部１０、１０′および入力動作に割り当てられる文字は多様に配列されることができる。
【０４２２】
例えば、２個の入力部１０、１０′のうちのいずれか一つにのみ母音文字を割り当てることもでき、または、各入力部１０、１０′で遂行される第１方向入力（Ｍ）および第２方向入力（Ｐ）のうちのいずれか一つに母音文字が分割して割り当てられることができる。
【０４２３】
一方、マウスまたはゲームモードに転換される場合、２個の入力部１０のうちのいずれか一つによってはポインタの移動やゲームキャラクターの移動が遂行され、他の一つによってはポインタの操作またはゲームキャラクターの各種の操作命令が遂行されることができる。
【０４２４】
その他
入力部１０は、第１方向入力（Ｍ）または第２方向入力（Ｐ）を遂行した後に自動的に基準位置（Ｓ）に復帰するリターン機能を有することができる。
【０４２５】
前記リターン機能は多様な方法で実現されることができ、例えば、図３に示されているように、入力部１０とベース１１０の間に弾性部材２１を備えることによって第１方向入力（Ｍ）後に入力部１０が基準位置（Ｓ）に復帰するようにできる。
【０４２６】
あるいは、図６に示された入力部１０の場合、支持部２５を弾性部材に備えることもできる。あるいは、第２方向入力（Ｐ）の場合、入力部１０自体を弾性材質に備えることもできる。
【０４２７】
前述した弾性部材２１は、リターン機能以外にも、第１方向入力（Ｍ）が多段に遂行される時、各入力を区分して入力するようにできる。
【０４２８】
つまり、図２３に示されているように、第１方向入力（Ｍ）が２段に備えられる場合、弾性部材２１は互いに異なる弾性係数を有する２つ（図２１の２１ａ、２１ｂ参照）に備えられることができる。
【０４２９】
ここで、各弾性部材２１の弾性係数は、入力部１０から遠くなるほど漸次に増加するように順次に配置（つまり、ｋ２１ａ＜ｋ２１ｂ）されることによって、１段入力と２段入力の境界面で弾性係数の差による抵抗力が感じられるようにすることが好ましい。
【０４３０】
したがって、弾性係数の差によって２段入力を遂行するためには、１段入力時よりも大きい力が必要であるので、ユーザが１段入力と２段入力を区別することができるようになる。
【０４３１】
一方、前述した方式は第２方向入力（Ｐ）にも同一に適用され得る。
【０４３２】
ここで、各弾性部材２１ａ、２１ｂの間には支持リング２２がさらなる備えられることができる。
【０４３３】
一方、第１方向入力（Ｍ）、第２方向入力（Ｐ）および中央入力（Ｃ）のうちの一つ以上が遂行される時、クリック感を与えるクリック手段がさらに備えられることができる。
【０４３４】
クリック手段は公知となった多様な種類を適用することができ、例えば、第１方向入力（Ｍ）の場合、入力部１０の移動経路上に突起を備えることによって入力部１０が通過する時、クリック感を伝達することができる。
【０４３５】
前記クリック手段は各入力動作全体に適用されることもできるが、一部にのみ適用されることもできる。例えば、第１方向入力（Ｍ）、第２方向入力（Ｐ）または中央入力（Ｃ）などが多段入力可能に備えられる場合、２段入力時にのみクリック感を発生するようにすることによって、ユーザが１段入力と２段入力を区分するようにできる。
【０４３６】
図２を参照すれば、ベース１１０の一側には、入力モードの転換のためのモード転換キー１２１またはエンター、取り消し、カーソルなどの機能命令を入力するためのファンクションキー１２３のうちの一つ以上がさらに備えられることができる。
【０４３７】
ここで、前述したモード転換キー１２１またはファンクションキー１２３はタッチ感知方式に備えられることもできる。
【０４３８】
一方、ベース１１０の他側には、制御部５１によって抽出された入力命令が表示されるディスプレー部１３０が備えられることができる。
【０４３９】
この時、図１９に示されているように、ディスプレー部１３０にはユーザの入力動作による入力内容または選択した入力モードで割り当てられた文字が表示されるキーボード表示部７４が備えられることができる。
【０４４０】
ここで、ディスプレー部１３０は、図２０に示されているように、ベース１１０に着脱可能に備えられることができる。
【０４４１】
つまり、本発明による文字入力装置１は、ディスプレー部１３０が装着された外部機器本体に着脱可能に備えられることもでき、この場合、外部機器と有線または無線のうちの一つ以上の方法で接続可能に備えられて、制御部５１で抽出されたデータを外部機器に送受信する送受信部をさらに含むことができる。
【０４４２】
これによって、本発明による文字入力装置１をコンピュータやテレビを遠隔制御するためのリモコンとして使用することもでき、この場合、第１方向入力（Ｍ）および第２方向入力（Ｐ）のうちのいずれか一つでチャンネル変更やボリューム調節などを遂行することができる。
【０４４３】
あるいは、第１方向入力（Ｍ）で数字入力または各種のモード変更を遂行し、第２方向入力（Ｐ）ではチャンネルまたはボリューム調節を遂行することもできる。
【０４４４】
一方、図１６に示されているように、ベース１１０および入力部１０のうちのいずれか一つには、各第１方向指示位置（Ｍ１、Ｍ２、・・・）に対応して各第１方向指示位置（Ｍ１、Ｍ２、・・・）に割り当てられた第１文字が表示された第１文字表示部７２ａと、各第２方向指示位置（Ｐ１、Ｐ２、・・・）に対応して各第２方向指示位置（Ｐ１、Ｐ２、・・・）に割り当てられた第２文字が表示された第２文字表示部７２ｂがさらに備えられることができる。
【０４４５】
第１文字表示部７２ａおよび第２文字表示部７２ｂは、２以上の文字が重複して割り当てられた場合、入力モードに応じて入力される文字が変更して表示されることができる。
【０４４６】
例えば、第１文字表示部７２ａや第２文字表示部７２ｂをＬＣＤウィンドなどに備えることによって、ハングル文字入力時にはハングル文字のみが表示され、英語文字入力時には英語文字のみが表示されるようにできる。
【０４４７】
一方、図２に示されているように、基準位置（Ｓ）に備えられて入力部１０が基準位置（Ｓ）に位置していることを感知する基準位置感知部６８をさらに含むことができる。
【０４４８】
基準位置感知部６８は、入力部１０が基準位置（Ｓ）に位置していることを感知するもので、基準位置感知部６８の感知信号は文字などの入力のためのリセット信号として使用されることができる。
【０４４９】
図２４を参照すれば、ベース１１０の入力半径１１１に隣接して備えられて、入力部１０の入力モードに応じてスクロール、ボリューム調節または検索機能を遂行する回転ホイール７６がさらに備えられることができる。
【０４５０】
あるいは、回転ホイール７６の代わりにスクロールなどの機能を遂行する円形帯形状の感知手段または入力部１０周辺に円形に配置された複数の感知手段を備えることもできる。
【０４５１】
一方、図２５に示されているように、入力部１０全体をベース１１０に対して移動可能にする連結部材８０を備えることによって、ユーザが入力位置を自由に変更可能にすることができる。
【０４５２】
連結部材８０は多様な種類に備えられることができ、例えば、帯形状を有する本体８１と、本体８１に備えられ、入力部１０が第１方向入力（Ｍ）および第２方向入力（Ｐ）が遂行可能に受容される受容部８２と、本体８１の両端部に備えられ、ベース１１０に備えられたスライド溝８５に結合してスライドする移動支持部８５とを含むことができる。
【０４５３】
また、本発明の入力部１０は、図５１に示されているように、入力部の上端に操作棒が含まれたままで構成されることができ、前記入力部の上端には前記操作棒が水平に横たえた時に嵌合可能な溝が備えられ、前記操作棒は未使用時に前記入力部の上端の溝に水平に横たえられたまま装着され、使用時には垂直方向にたてて親指と人指し指で捕っても第１方向入力および第２方向入力および中央入力の遂行が可能である。操作棒を使用しない時には、再び操作棒を横たえて前記入力部上端の溝に嵌合しておき、前記入力部１０は前述した実施例のように前記入力キー部上端に指を載せて操作可能であることはもちろんである。
【０４５４】
あるいは、操作棒をベース１１０内外部に突出（または引き上げ）および挿入して使用することもできる。
【０４５５】
図５２に示されているように、本発明は入力キー周囲のベース１１０に入力可能なキーボードが表示されることができ、この時、入力部１０を操作する指によって指の下部方向のキーボードが隠されないように左側あるいは右側に表示する。
【０４５６】
この時、前記キーボードはモードによって文字、記号、数字などにキーボードの内容が変更して表示されることができるＬＣＤなどに実現されることが好ましい。
【０４５７】
一方、本発明による文字入力装置では、入力部１０の移動と押圧、押圧と移動を通してデータを入力することができる。この時、移動と押圧によっては子音を入力し、押圧と移動によっては母音を入力するように備えられることもできる。
【０４５８】
より詳しく説明すれば、前記入力部に放射状４方向に入力可能な時、入力部を特定の第１方向指示位置に移動して第１方向入力（Ｍ）を遂行すると、第２方向指示位置に放射状に４個の文字が割り当てられる。この時、特定の文字が位置する方向に前記入力部を押して第２方向入力（Ｐ）を遂行して当該文字を入力する。
【０４５９】
また、第２方向指示位置を押して第２方向入力（Ｐ）を遂行すると、第１方向指示位置に放射状に４個の文字が割り当てられる。この時、特定文字が位置する方向に前記入力部を移動して第１方向入力（Ｍ）を遂行して当該文字を入力する。
【０４６０】
以上のような入力方式によれば、移動および押圧に１６個の文字が配列されることができ、押圧および移動に１６個の文字が配列されることができるので、総３２個の文字が配列可能である。この場合、前記入力部１０は、より多い文字を入力することができるように２セットに備えられることができるのみならず、８方向に入力することができるように備えられることもできる。
【０４６１】
この時、移動と押圧方式を通しては子音が入力され、押圧と移動方式を通しては母音が入力されるようにできる。
【０４６２】
このような入力形態の例を、図５３を参照して説明する。
【０４６３】
例えば、子音［数８］を入力するためには移動と押圧方式を通して前記文字を入力しなければならない。つまり、図５３（ａ）に示されているように、１２時方向に入力部を移動して第１方向入力［数５］を遂行した後、または第１方向入力した状態で、再び３時方向に前記入力部を押す第２方向入力［数６］を遂行すると、前記［数８］が入力処理される。
【０４６４】
また、母音［数１２］を入力するためには押圧と移動方式を通して前記文字を入力しなければならない。つまり、図５３（ｂ）に示されているように、［数１２］を入力するために３時方向の入力部を押して第２方向入力［数５］を遂行した後、または第２方向入力をした状態で、再び１２時方向に前記入力部を移動して、第１方向入力［数６］を遂行すると、前記［数１２］が入力処理される。
【０４６５】
一方、前記中央入力と第２方向入力部にタッチ感知部が全てある時、中央のタッチ感知部のみ感知される場合、第２方向入力部にのみ複数のタッチ感知部がある時、前記第２方向入力部のタッチ感知部が全て感知されずに第１方向入力または第２方向入力が遂行される場合、および前記中央または第２方向入力部に位置したタッチ感知部が全て感知された状態で前記第１方向入力または第２方向入力が遂行される場合を区別して互いに異なるデータを入力するようにすることもできる。
【０４６６】
例えば、入力部全体に指を載せて入力する場合に、第１方向入力または第２方向入力は文字入力となり、指端を入力部の中央に載せて入力する場合には、マウスとして使用されるようにすることもできる。
【０４６７】
以上で説明した本発明は上述した実施例および添付した図面に限定されるのではなく、本発明の技術的な思想を逸脱しない範囲内で多様な置換、変形および変更が可能であることは本発明が属する技術分野で通常の知識を有する者に自明である。
【符号の説明】
【０４６８】
１０  ・・・入力部
１３  ・・・中央入力キー
２１  ・・・弾性部材
４０  ・・・ガイド部
５１  ・・・制御部
５５  ・・・メモリ部
６１  ・・・第１感知部
６３  ・・・第２感知部
６５  ・・・第３感知部
６９  ・・・中央入力キー感知部
１１０  ・・・ベース
１３０  ・・・ディスプレー部
【図１】
2014199675.tif 000025
【図２】
2014199675.tif 000026
【図３】
2014199675.tif 000027
【図４】
2014199675.tif 000028
【図５】
2014199675.tif 000029
【図６】
2014199675.tif 000030
【図７】
2014199675.tif 000031
【図８】
2014199675.tif 000032
【図９】
2014199675.tif 000033
【図１０】
2014199675.tif 000034
【図１１】
2014199675.tif 000035
【図１２】
2014199675.tif 000036
【図１３】
2014199675.tif 000037
【図１４】
2014199675.tif 000038
【図１５】
2014199675.tif 000039
【図１６】
2014199675.tif 000040
【図１７】
2014199675.tif 000041
【図１８】
2014199675.tif 000042
【図１９】
2014199675.tif 000043
【図２０】
2014199675.tif 000044
【図２１】
2014199675.tif 000045
【図２２】
2014199675.tif 000046
【図２３】
2014199675.tif 000047
【図２４】
2014199675.tif 000048
【図２５】
2014199675.tif 000049
【図２６】
2014199675.tif 000050
【図２７】
2014199675.tif 000051
【図２８】
2014199675.tif 000052
【図２９】
2014199675.tif 000053
【図３０】
2014199675.tif 000054
【図３１】
2014199675.tif 000055
【図３２】
2014199675.tif 000056
【図３３】
2014199675.tif 000057
【図３４】
2014199675.tif 000058
【図３５】
2014199675.tif 000059
【図３６】
2014199675.tif 000060
【図３７】
2014199675.tif 000061
【図３８】
2014199675.tif 000062
【図３９】
2014199675.tif 000063
【図４０】
2014199675.tif 000064
【図４１】
2014199675.tif 000065
【図４２】
2014199675.tif 000066
【図４３】
2014199675.tif 000067
【図４４】
2014199675.tif 000068
【図４５】
2014199675.tif 000069
【図４６】
2014199675.tif 000070
【図４７】
2014199675.tif 000071
【図４８】
2014199675.tif 000072
【図４９】
2014199675.tif 000073
【図５０】
2014199675.tif 000074
【図５１】
2014199675.tif 000075
【図５２】
2014199675.tif 000076
【図５３】
2014199675.tif 000077
【図５４】
2014199675.tif 000078
【図５５】
2014199675.tif 000079
【図５６】
2014199675.tif 000080
【図５７】
2014199675.tif 000081
【図５８】
2014199675.tif 000082
【図５９】
2014199675.tif 000083
【図６０】
2014199675.tif 000084
【図６１】
2014199675.tif 000085
【図６２】
2014199675.tif 000086